(57)【要約】【課題】光情報記録媒体において発生するオフトラック記録を一定の基準で評価し、光情報記録媒体を選別することができる光情報記録媒体の検査方法を提供する。【解決手段】本発明の光情報記録媒体の検査方法は、光情報記録媒体が有する記録可能な記録層にビームを照射して、記録層からの反射光を受光することにより、光情報記録媒体の良否判定を行うための検査方法であって、記録層のトラック方向に沿って、第１の受光部と、第２の受光部とがこの順に配置されており、第１及び第２の受光部を用いて差動信号を検出する検出ステップと、その検出された差動信号に基づき光情報記録媒体を良否判定する判定ステップとを含む。【選択図】図１
2010170653.tif 000002
【特許請求の範囲】
【請求項１】
光情報記録媒体が有する記録可能な記録層にビームを照射して、前記記録層からの反射光を受光することにより、前記光情報記録媒体の良否判定を行うための検査方法であって、
前記記録層のトラック方向に沿って、第１の受光部と、第２の受光部とがこの順に配置されており、前記第１及び第２の受光部を用いて前記記録層からの反射光レベルを検出する検出ステップと、
前記第１の受光部により受光された第１の反射光レベルと、前記第２の受光部により受光された第２の反射光レベルとを比較し、その比較結果に基づき前記光情報記録媒体を良否判定する判定ステップと
を含むことを特徴とする光情報記録媒体の検査方法。
【請求項２】
前記検出ステップにおいて検出される各反射光レベルは、前記光情報記録媒体の回転方向が異なる場合における２つの反射光レベルを平均化したものであることを特徴とする請求項１に記載の光情報記録媒体の検査方法。
【請求項３】
光情報記録媒体が有する記録可能な記録層にビームを照射して、前記記録層からの反射光を受光することにより、前記光情報記録媒体の良否判定を行うための検査方法であって、
前記記録層のトラック方向に沿って、第１の受光部と、第２の受光部とがこの順に配置されており、第１のビームパワーを持つビームを前記記録層に照射しながら前記第１及び第２の受光部を用いて前記記録層からの反射光レベルを検出する第１の検出ステップと、
前記第１の検出ステップにおいて前記第１の受光部により受光された第１の反射光レベルと、前記第１の検出ステップにおいて前記第２の受光部により受光された第２の反射光レベルとの第１の差分を算出する第１の算出ステップと、
前記第１のビームパワーよりも高い第２のビームパワーを持つビームを前記記録層に照射しながら前記第１及び第２の受光部を用いて前記記録層からの反射光レベルを検出する第２の検出ステップと、
前記第２の検出ステップにおいて前記第１の受光部により受光された第３の反射光レベルと、前記第２の検出ステップにおいて前記第２の受光部により受光された第４の反射光レベルとの第２の差分を算出する第２の算出ステップと、
前記第１の算出ステップにおいて算出された第１の差分と、前記第２の算出ステップにおいて算出された第２の差分とを比較し、その比較結果に基づき前記光情報記録媒体を良否判定する判定ステップと
を含むことを特徴とする光情報記録媒体の検査方法。
【請求項４】
前記第１の検出ステップ及び前記第２の検出ステップにおいて検出される各反射光レベルは、前記光情報記録媒体の回転方向が異なる場合における２つの反射光レベルを平均化したものであることを特徴とする請求項３に記載の光情報記録媒体の検査方法。
【請求項５】
前記判定ステップは、前記光情報記録媒体が不良品であると判定すべきとしてあらかじめ定められた基準値に対する前記第１の差分と前記第２の差分との間の変化幅の大小を比較し、前記変化幅が前記基準値より小さいとの比較結果に基づいて、前記光情報記録媒体と良品であると判定することを特徴とする請求項３に記載の光情報記録媒体の検査方法。
【請求項６】
前記第１及び第２の受光部により受光される前記記録層からの反射光レベルは、前記記録層のトラックの蛇行成分であるウォブル信号の振幅であることを特徴とする請求項１〜５のいずれか１項に記載の光情報記録媒体の検査方法。
【請求項７】
記録可能な記録層を有する光情報記録媒体の製造方法であって、
基板上に前記記録層を含む多層構造を実現することにより光情報記録媒体を製造する製造ステップと、
前記製造ステップにおいて製造された前記光情報記録媒体を請求項１〜６のいずれか１項に記載の光情報記録媒体の検査方法を用いて前記光情報記録媒体を良否判定するステップと、
を含むことを特徴とする光情報記録媒体の製造方法。
【請求項８】
請求項７に記載の光情報記録媒体の製造方法を用いて製造されることを特徴とする光情報記録媒体。
【請求項９】
光情報記録媒体が有する記録可能な記録層にビームを照射して、前記記録層からの反射光を受光することにより、前記光情報記録媒体の良否判定を行うための検査装置であって、
前記記録層のトラック方向に沿って順に配置された第１の受光部及び第２の受光部と、
前記第１及び第２の受光部を用いて前記記録層からの反射光レベルを検出する検出部と、
前記第１の受光部により受光された第１の反射光レベルと、前記第２の受光部により受光された第２の反射光レベルとを比較し、その比較結果に基づき前記光情報記録媒体を良否判定する判定部と
を備えることを特徴とする光情報記録媒体の検査装置。
【請求項１０】
前記検出部において検出される各反射光レベルは、前記光情報記録媒体の回転方向が異なる場合における２つの反射光レベルを平均化したものであることを特徴とする請求項９に記載の光情報記録媒体の検査装置。
【請求項１１】
記録層を有し、前記記録層にビームが照射されることにより、前記記録層に情報が記録される光情報記録媒体であって、
請求項３に記載の検査方法を用いて検査される場合において、前記第２のビームパワーを前記第１のビームパワーより大きい所定のパワーとしたときに前記第１の差分と前記第２の差分とが略等しくなるように、前記記録層が設定されていることを特徴とする光情報記録媒体。
【請求項１２】
トラックピッチが０．３０〜０．３４μｍのグルーブを持つ記録層を有し、２１ｍＷ以上のビームパワー及び４００ｎｍ〜４１０ｎｍの波長を持つビームが、０．８４〜０．８６の開口数を持つ対物レンズを介して、前記記録層に照射されることにより、前記記録層に情報が記録される光情報記録媒体であって、
請求項３に記載の検査方法を用いて検査される場合において、前記第２のビームパワーを１２ｍＷとしたときに、前記第１の差分と前記第２の差分とが略等しくなることを特徴とする光情報記録媒体。
【請求項１３】
光情報記録媒体が有する記録可能な記録層にビームを照射して、前記記録層に情報を記録する光情報記録媒体の記録装置であって、
前記記録層のトラック方向に沿って順に配置された第１の受光部及び第２の受光部と、
前記第１及び第２の受光部を用いて前記記録層からの反射光レベルを検出する検出部と、
前記第１の受光部により受光された第１の反射光レベルと、前記第２の受光部により受光された第２の反射光レベルとを比較し、その比較結果に基づき前記記録層に情報を記録する際における前記光情報記録媒体の半径方向のオフセット量を決定する決定部と
を備えることを特徴とする光情報記録媒体の記録装置。
【請求項１４】
前記検出部において検出される各反射光レベルは、前記光情報記録媒体の回転方向が異なる場合における２つの反射光レベルを平均化したものであることを特徴とする請求項１３に記載の光情報記録媒体の記録装置。
【発明の詳細な説明】
【技術分野】
【０００１】
本発明は、情報信号を光学的に書き込み読み出しが可能な光情報記録媒体に係り、特に、その光情報記録媒体の検査方法、製造方法、検査装置及び記録装置に関する。
【背景技術】
【０００２】
近年、光情報記録媒体は、多量の情報信号を高密度で記録することができるため、オーディオ、ビデオ、コンピュータ等の多くの分野において利用が進められている。特に、最近は、動画情報等のように、コンピュータ等で取り扱うデータ量が飛躍的に増大しており、それに伴って、記録層を積層化した光情報記録媒体の利用が進んでいる。
【０００３】
このような光情報記録媒体では、ミクロン単位で記録された情報信号を再生するために、再生されるべき情報が記録されているトラックの位置に光ビームを正確にトラッキングさせる必要がある。
【０００４】
光情報記録媒体の回転軸の軸振れや、その媒体の中心穴及びトラックの偏心によって、トラックとレーザ光との位置間に誤差が生じるのが通常である。トラッキングは、この誤差を検出し、レーザ光の位置を制御してトラックに正確に追随させるためのものである。
【０００５】
このトラッキングの手法として、一般に、光情報記録媒体上で反射回折された光を、トラック中心に対して対称的に配置された２つの光検出器で検出し、その差信号でトラッキングエラーを検出するプッシュプル法が用いられている（例えば、特許文献１〜３を参照）。
【０００６】
このような光情報記録媒体では、ＣＤやＤＶＤ等の光ディスクが多く用いられており、その種類は、次の３つに大別できる。すなわち、ＲＯＭと呼ばれる再生専用のもの、追記型のもの及び、書き換え可能型のものの３種類である。このような光ディスクに対する記録再生装置が開発され、その普及には著しいものがある。
【０００７】
ところで、再生専用光情報記録媒体においては、特許文献４及び非特許文献１に記載されている「スーパーＲＯＭ現象」が起こることが知られている。
【０００８】
この「スーパーＲＯＭ現象」は、光学系の回折限界を超える高解像度の再生を可能とする超解像技術の一種である。この現象は、所定の材料を反射層としてディスク上に設けることにより、回折限界より小さいピッチから情報信号を読み出すことができる現象である。この現象は、レーザ照射に起因する反射層の温度に強く依存する傾向にあるものであり、現状、温度が高くなるほど、その発現度合いが高くなる傾向にある。
【先行技術文献】
【特許文献】
【０００９】
【特許文献１】特開平５−４７０１６号公報（１９９３年２月２６日公開）
【特許文献２】特開平９−３５２８４号公報（１９９７年２月７日公開）
【特許文献３】特開平９−３５２９０号公報（１９９７年２月７日公開）
【特許文献４】特開２００１−２５０２７４号公報（２００１年９月１４日公開）
【非特許文献】
【００１０】
【非特許文献１】Takashi KIKUKAWA, Tatsuya KATO, Hiroshi SHINGAI and Hajime UTSUNOMIYA, "High-Density Read-Only Memory Disc with Super Resolution Reflective Layer" Jpn. J. Appl.Phys. Vol. 40 (2001) pp.1624-1628 Part 1, No. 3B, March 2001
【発明の概要】
【発明が解決しようとする課題】
【００１１】
我々は、上述したスーパーＲＯＭ現象が、記録可能な光情報記録媒体においても発現すること及び、スーパーＲＯＭ現象が、記録可能な媒体の記録時に起こる際、記録マークが正しく記録されない問題があることを見出した。以降、正しく記録されない記録のこと「オフトラック記録」という。記録可能な媒体において起こるスーパーＲＯＭ現象についての説明は後述する。
【００１２】
上記課題に鑑み、本発明の目的は、光情報記録媒体において発生するオフトラック記録の発生する程度を一定の基準で評価し、光情報記録媒体を選別することができる光情報記録媒体の検査方法、光情報記録媒体の製造方法、光情報記録媒体の検査装置、光情報記録媒体の記録装置及び光情報記録媒体を提供することにある。
【課題を解決するための手段】
【００１３】
高速記録対応の追記ディスクにおいては、低速記録時と比較してより高い記録パワーを用いて記録が行われる。その際、ピックアップのレーザ光源の特性により、レーザ照射によって生じるレーザスポット内に、ディスクの半径方向に沿った温度分布が生じる場合がある。
【００１４】
例えば図１１に示すレーザによる照射の場合、レーザの光軸を通る直線によりディスクの半径方向に沿って分割された、レーザスポット内の２つの領域であるＡ領域及びＢ領域においては、そのレーザ照射により、ディスク上の温度分布に差が生じている。
【００１５】
このような場合、ディスク上のトラックに対する記録マークの位置ずれが発生してしまう場合があることを我々は検討によって見出した。以下にそのメカニズムについて説明する。
【００１６】
まず、高い記録パワーのかかる高速記録時に、レーザスポット内の内周側と外周側のそれぞれにおいて起こる、前述した「スーパーＲＯＭ現象」の発現度合いに差が生じることになる。その結果、上述したプッシュプル法で用いられるプッシュプル信号にレーザスポット内の内周側と外周側間における位相ずれが生じてしまうと思われる。
【００１７】
そして、その位相ずれを含むプッシュプル信号に基づいてトラッキングが行なわれた場合、ビームスポットの位置が半径方向に移動し、その移動の結果、記録マークを記録する際に、ディスク上のトラックに対する記録マークの位置ずれが発生してしまう。
【００１８】
なお、以下、上述した「オフトラック記録」として、このビームスポットの位置ずれが発生した際における記録マークの記録を「オフトラック記録」と呼ぶ。
【００１９】
また、追記型ディスクは、例えば図１２に示すように、所定のトラックピッチで凹状のグルーブと凸状のランドが表面に形成されている。これらのグルーブとランドとは、追記型ディスクの表面に螺旋状または同心円状に形成されている。そして、この追記型ディスクは、これらグルーブとランドに対して情報信号を記録している。
【００２０】
この追記型ディスクにおいて、レーザがディスクの半径方向に走査された場合、レーザスポットがグルーブとランドからなる凹凸上を移動することになる。その結果、図１２の例では、図中Ｃで示す部分と図中Ｄで示す部分間に温度上昇差が生じてしまう。具体的には、部分Ｃが部分Ｄよりも高温となる。この現象は、レーザスポット内の温度分布が均一であっても生じるものである。
【００２１】
このような場合でも、より高い記録パワーでの記録が行なわれると、上記の場合と同様、部分Ｃと部分Ｄのそれぞれにおいて起こる「スーパーＲＯＭ現象」の発現度合いに差が生じてしまう。すなわち、温度上昇の大きい部分Ｃの反射率が大きくなるため、部分Ｃからは、記録パワーが低パワー時のプッシュプル信号と比較して、見かけ上、位相がずれ、且つ、光量の大きいプッシュプル信号が発生してしまう。
【００２２】
このように、追記型ディスク上に照射されるレーザの記録パワーが高くなると、上述したような現象が発生することにより、プッシュプル信号にレーザスポット内の内周側と外周側間における位相ずれが生じ、その結果、上述したオフトラック記録が起こってしまう。
【００２３】
このようにして本発明者等は、上述した追記型ディスク等の光情報記録媒体において「スーパーＲＯＭ現象」に起因するオフトラック記録の発生を確認した。
【００２４】
そして、本発明者等は、鋭意検討した結果、上述した追記型ディスク等の光情報記録媒体において発生するオフトラック記録を一定の基準で評価し、光情報記録媒体を選別することができる光情報記録媒体の検査方法、光情報記録媒体の製造方法、光情報記録媒体の検査装置及び光情報記録媒体を見出した。
【００２５】
すなわち、本発明における光情報記録媒体の検査方法は、光情報記録媒体が有する記録可能な記録層にビームを照射して、前記記録層からの反射光を受光することにより、前記光情報記録媒体の良否判定を行うための検査方法であって、前記記録層のトラック方向に沿って、第１の受光部と、第２の受光部とがこの順に配置されており、前記第１及び第２の受光部を用いて前記記録層からの反射光レベルを検出する検出ステップと、前記第１の受光部により受光された第１の反射光レベルと、前記第２の受光部により受光された第２の反射光レベルとを比較し、その比較結果に基づき前記光情報記録媒体を良否判定する判定ステップとを含む。
【００２６】
上記の光情報記録媒体の検査方法では、記録層からの反射光を受光する第１の受光部及び第２の受光部が、光情報記録媒体の記録層のトラック方向に沿って順に配置されている。このため、第１及び第２の受光部により受光される反射光レベルが、記録層に照射されるビームのスポットが記録層上を走査する線速度が一定値に維持された状態における値となる。
【００２７】
言い換えれば、ビームのスポットが記録層上を走査することによって生じるビームスポット内の温度分布を一定にすることができる。このため、本来ならば、ピックアップ固有のビームスポット内の温度分布を、一定の分布に再現することができる。
【００２８】
また、例えば、第１及び第２の受光部が記録層のトラック横断方向に沿って配置されている場合であれば、横断時のトラックの内周側と外周側のそれぞれに起こる「スーパーＲＯＭ現象」は、光情報記録媒体の偏芯の度合いにより、トラックをビームスポットが横切る速度が異なるため、一定の線速度で評価することができない。
【００２９】
上記の光情報記録媒体の検査方法では、第１及び第２の受光部をトラック方向に沿って配置しているので、光情報記録媒体を任意の回転数で回転させることによって、一定の線速度で評価することが可能となる。
【００３０】
したがって、光情報記録媒体において発生するオフトラック記録を一定の基準で評価し、光情報記録媒体を選別することができる。
【００３１】
前記検出ステップにおいて検出される各反射光レベルは、前記光情報記録媒体の回転方向が異なる場合における２つの反射光レベルを平均化したものであることが好ましい。
【００３２】
この場合、光情報記録媒体の回転方向におけるピックアップ固有の温度分布に起因する差動信号のバラツキを抑えることができる。
【００３３】
本発明における光情報記録媒体の検査方法は、光情報記録媒体が有する記録可能な記録層にビームを照射して、前記記録層からの反射光を受光することにより、前記光情報記録媒体の良否判定を行うための検査方法であって、前記記録層のトラック方向に沿って、第１の受光部と、第２の受光部とがこの順に配置されており、第１のビームパワーを持つビームを前記記録層に照射しながら前記第１及び第２の受光部を用いて前記記録層からの反射光レベルを検出する第１の検出ステップと、前記第１の検出ステップにおいて前記第１の受光部により受光された第１の反射光レベルと、前記第１の検出ステップにおいて前記第２の受光部により受光された第２の反射光レベルとの第１の差分を算出する第１の算出ステップと、前記第１のビームパワーよりも高い第２のビームパワーを持つビームを前記記録層に照射しながら前記第１及び第２の受光部を用いて前記記録層からの反射光レベルを検出する第２の検出ステップと、前記第２の検出ステップにおいて前記第１の受光部により受光された第３の反射光レベルと、前記第２の検出ステップにおいて前記第２の受光部により受光された第４の反射光レベルとの第２の差分を算出する第２の算出ステップと、前記第１の算出ステップにおいて算出された第１の差分と、前記第２の算出ステップにおいて算出された第２の差分とを比較し、その比較結果に基づき前記光情報記録媒体を良否判定する判定ステップとを含む。
【００３４】
上記の光情報記録媒体の検査方法では、記録層からの反射光を受光する第１の受光部及び第２の受光部が、光情報記録媒体の記録層のトラック方向に沿って順に配置されている。このため、第１及び第２の受光部により受光される反射光レベルが、記録層に照射されるビームのスポットが記録層上を走査する線速度が一定値に維持された状態における値となる。
【００３５】
言い換えれば、ビームのスポットが記録層上を走査することによって生じるビームスポット内の温度分布を一定にすることができる。このため、本来ならば、ピックアップ固有のビームスポット内の温度分布を、一定の分布に再現した上でビームパワーが高くなった場合の比較ができることになる。
【００３６】
また、例えば、第１及び第２の受光部が記録層のトラック横断方向に沿って配置されている場合であれば、横断時のトラックの内周側と外周側のそれぞれに起こる「スーパーＲＯＭ現象」は、光情報記録媒体の偏芯の度合いにより、トラックをビームスポットが横切る速度が異なるため、一定の線速度で評価することができない。
【００３７】
上記の光情報記録媒体の検査方法では、第１及び第２の受光部をトラック方向に沿って配置しているので、光情報記録媒体を任意の回転数で回転させることによって、一定の線速度で評価することが可能となる。
【００３８】
したがって、光情報記録媒体において発生するオフトラック記録を一定の基準で評価し、光情報記録媒体を選別することができる。
【００３９】
さらに、上記の光情報記録媒体の検査方法では、異なるビームパワーを持つビームの照射毎に第１の受光部により受光された反射光レベルと第２の受光部により受光された反射光レベルとの差分を算出し、それら差分の比較結果に基づいて光情報記録媒体を良否判定している。
【００４０】
このため、１つのビームパワーの照射による反射光レベルを用いた検査方法よりも、より高精度に検査を行うことができる。
【００４１】
前記第１の検出ステップ及び前記第２の検出ステップにおいて検出される各反射光レベルは、前記光情報記録媒体の回転方向が異なる場合における２つの反射光レベルを平均化したものであることが好ましい。
【００４２】
この場合、光情報記録媒体の回転方向におけるピックアップ固有の温度分布に起因する差動信号のバラツキを抑えることができる。
【００４３】
前記判定ステップは、前記光情報記録媒体が不良品であると判定すべきとしてあらかじめ定められた基準値に対する前記第１の差分と前記第２の差分との間の変化幅の大小を比較し、前記変化幅が前記基準値より小さいとの比較結果に基づいて、前記光情報記録媒体と良品であると判定することが好ましい。
【００４４】
この場合、基準値の大小比較によって光情報記録媒体の良否判定を行うことができるので、光情報記録媒体４の検査をより効率的に行うことができる。
【００４５】
前記第１及び第２の受光部により受光される前記記録層からの反射光レベルは、前記記録層のトラックの蛇行成分であるウォブル信号の振幅であることが好ましい。
【００４６】
この場合、ビームスポットがトラックを横断する状態と同じ状態を実現することができるので、光情報記録媒体の検査をより高精度に行うことができる。
【００４７】
本発明における光情報記録媒体の製造方法は、記録可能な記録層を有する光情報記録媒体の製造方法であって、基板上に前記記録層を含む多層構造を実現することにより光情報記録媒体を製造する製造ステップと、前記製造ステップにおいて製造された前記光情報記録媒体を上記の光情報記録媒体の検査方法を用いて前記光情報記録媒体を良否判定するステップと、を含む。
【００４８】
上記の光情報記録媒体の製造方法では、上記の光情報記録媒体の検査方法を含む光情報記録媒体の製造方法が実現される。
【００４９】
本発明における光情報記録媒体は、上記の光情報記録媒体の製造方法を用いて製造される。
【００５０】
上記の光情報記録媒体では、上記の光情報記録媒体の製造方法を用いて製造される光情報記録媒体が実現される。
【００５１】
本発明における光情報記録媒体の検査装置は、光情報記録媒体が有する記録可能な記録層にビームを照射して、前記記録層からの反射光を受光することにより、前記光情報記録媒体の良否判定を行うための検査装置であって、前記記録層のトラック方向に沿って順に配置された第１の受光部及び第２の受光部と、前記第１及び第２の受光部を用いて前記記録層からの反射光レベルを検出する検出部と、前記第１の受光部により受光された第１の反射光レベルと、前記第２の受光部により受光された第２の反射光レベルとを比較し、その比較結果に基づき前記光情報記録媒体を良否判定する判定部とを備える。
【００５２】
上記の光情報記録媒体の検査装置では、記録層からの反射光を受光する第１の受光部及び第２の受光部が、光情報記録媒体の記録層のトラック方向に沿って順に配置されている。このため、第１及び第２の受光部により受光される反射光レベルが、記録層に照射されるビームのスポットが記録層上を走査する線速度が一定値に維持された状態における値となる。
【００５３】
言い換えれば、ビームのスポットが記録層上を走査することによって生じるビームスポット内の温度分布を一定にすることができる。このため、本来ならば、ピックアップ固有のビームスポット内の温度分布を、一定の分布に再現した上でビームパワーが高くなった場合の比較ができることになる。
【００５４】
また、例えば、第１及び第２の受光部が記録層のトラック横断方向に沿って配置されている場合であれば、記録層の内周側と外周側のそれぞれに起こる「スーパーＲＯＭ現象」は、光情報記録媒体の偏芯の度合いにより、トラックをビームスポットが横切る速度が異なるため、一定の線速度で評価することができない。
【００５５】
上記の光情報記録媒体の検査装置では、第１及び第２の受光部をトラック方向に沿って配置しているので、光情報記録媒体を任意の回転数で回転させることによって、一定の線速度で評価することが可能となる。
【００５６】
したがって、光情報記録媒体において発生するオフトラック記録を一定の基準で評価し、光情報記録媒体を選別することができる。
【００５７】
前記検出部において検出される各反射光レベルは、前記光情報記録媒体の回転方向が異なる場合における２つの反射光レベルを平均化したものであることが好ましい。
【００５８】
この場合、光情報記録媒体の回転方向におけるピックアップ固有の温度分布に起因する差動信号のバラツキを抑えることができる。
【００５９】
本発明における光情報記録媒体は、記録層を有し、前記記録層にビームが照射されることにより、前記記録層に情報が記録される光情報記録媒体であって、上記の検査方法を用いて検査される場合において、前記第２のビームパワーを前記第１のビームパワーより大きい所定のパワーとしたときに前記第１の差分と前記第２の差分とが略等しくなるように、前記記録層が設定されている。
【００６０】
すなわち、本発明における光情報記録媒体は、記録層を有し、前記記録層にビームが照射されることにより、前記記録層に情報が記録される光情報記録媒体であって、前記記録層のトラック方向に沿って配置された第１の受光部と、第２の受光部とにより、第１のビームパワーを持つビームが前記記録層に照射されると前記第１及び第２の受光部を用いて前記記録層からの反射光レベルが検出されて、前記第１の受光部により受光された第１の反射光レベルと、前記第２の受光部により受光された第２の反射光レベルとの第１の差分が算出されると共に、前記第１のビームパワーよりも高い第２のビームパワーを持つビームが前記記録層に照射されると前記第１及び第２の受光部を用いて前記記録層からの反射光レベルが検出されて、前記第１の受光部により受光された第３の反射光レベルと、前記第２の受光部により受光された第４の反射光レベルとの第２の差分が算出され、前記第１の差分と、前記第２の差分との比較結果に基づき前記光情報記録媒体が良否判定されるときに、前記第２のビームパワーを前記第１のビームパワーより大きい所定のパワーとしたときに前記第１の差分と前記第２の差分とが略等しくなるように、前記記録層が設定されている。
【００６１】
上記の光情報記録媒体では、上記の検査方法を用いて検査される際、良品と判定される光情報記録媒体が実現される。
【００６２】
本発明に光情報記録媒体は、トラックピッチが０．３０〜０．３４μｍのグルーブを持つ記録層を有し、２１ｍＷ以上のビームパワー及び４００ｎｍ〜４１０ｎｍの波長を持つビームが、０．８４〜０．８６の開口数を持つ対物レンズを介して、前記記録層に照射されることにより、前記記録層に情報が記録される光情報記録媒体であって、上記の検査方法を用いて検査される場合において、前記第２のビームパワーを１２ｍＷとしたときに、前記第１の差分と前記第２の差分とが略等しくなる。
【００６３】
すなわち、本発明に光情報記録媒体は、トラックピッチが０．３０〜０．３４μｍのグルーブを持つ記録層を有し、２１ｍＷ以上のビームパワー及び４００ｎｍ〜４１０ｎｍの波長を持つビームが、０．８４〜０．８６の開口数を持つ対物レンズを介して、前記記録層に照射されることにより、前記記録層に情報が記録される光情報記録媒体であって、前記記録層のトラック方向に沿って、第１の受光部と、第２の受光部とがこの順に配置されており、第１のビームパワーを持つビームが前記記録層に照射されると前記第１及び第２の受光部を用いて前記記録層からの反射光レベルが検出されて、前記第１の受光部により受光された第１の反射光レベルと、前記第２の受光部により受光された第２の反射光レベルとの第１の差分が算出されると共に、前記第１のビームパワーよりも高い第２のビームパワーを持つビームが前記記録層に照射されると前記第１及び第２の受光部を用いて前記記録層からの反射光レベルが検出されて、前記第１の受光部により受光された第３の反射光レベルと、前記第２の受光部により受光された第４の反射光レベルとの第２の差分が算出され、前記第１の差分と、前記第２の差分との比較結果に基づき前記光情報記録媒体が良否判定されるときに、前記第２のビームパワーを１２ｍＷとしたときに、前記第１の差分と前記第２の差分とが略等しくなる。
【００６４】
上記の光情報記録媒体では、上記の検査方法を用いて検査される際、良品と判定される光情報記録媒体が実現される。
【００６５】
本発明における光情報記録媒体の記録装置は、光情報記録媒体が有する記録可能な記録層にビームを照射して、前記記録層に情報を記録する光情報記録媒体の記録装置であって、前記記録層のトラック方向に沿って順に配置された第１の受光部及び第２の受光部と、前記第１及び第２の受光部を用いて前記記録層からの反射光レベルを検出する検出部と、前記第１の受光部により受光された第１の反射光レベルと、前記第２の受光部により受光された第２の反射光レベルとを比較し、その比較結果に基づき前記記録層に情報を記録する際における前記光情報記録媒体の半径方向のオフセット量を決定する決定部とを備える。
【００６６】
上記の光情報記録媒体の記録装置では、第１及び第２の受光部をトラック方向に沿って配置しているので、光情報記録媒体を任意の回転数で回転させることによって、一定の線速度で評価することが可能となる。
【００６７】
このため、光情報記録媒体において発生するオフトラック記録を一定の基準で評価し、その評価結果を基に、光情報記録媒体に情報を記録する際におけるオフセット量を決定することができる。
【００６８】
したがって、オフセット記録が生じた光情報記録媒体に対し、その再生時に最適なオフセット量を設定することができるので、再生不良を防止することができる。
【００６９】
前記検出部において検出される各反射光レベルは、前記光情報記録媒体の回転方向が異なる場合における２つの反射光レベルを平均化したものであることが好ましい。
【００７０】
この場合、光情報記録媒体の回転方向におけるピックアップ固有の温度分布に起因する差動信号のバラツキを抑えることができる。
【発明の効果】
【００７１】
本発明によれば、光情報記録媒体において発生するオフトラック記録を一定の基準で評価し、光情報記録媒体を選別することができる。
【図面の簡単な説明】
【００７２】
【図１】本発明の実施の形態１における光情報記録媒体の検査方法の処理手順を示すフローチャートである。
【図２】図１のステップＳ１０９の処理手順を示すフローチャートである。
【図３】本発明の実施の形態１における光情報記録媒体を再生する再生システムの一例を示す説明図である。
【図４】図３の検査部の構成を示すブロック図である。
【図５】オフセット量とジッタとの関係を示すグラフ図である。
【図６】受光部の内周側信号と外周側信号を再生パワー別に測定した結果を示すグラフ図であり、（ａ）は、媒体４の結果であり、（ｂ）は、媒体３の結果である。
【図７】レーザパワーと、受光部の内周側信号と外周側信号との電圧値差との関係を示すグラフ図である。
【図８】従来の光情報記録媒体であり、４層構造の光情報記録媒体を示す断面図である。
【図９】図３に示す再生システムにおけるＳ字特性を示す説明図である。
【図１０】図３に示す再生システムによって図８に示す第２情報記録層にフォーカスサーチ処理が行われたときの対物レンズ位置の遷移とフォーカスエラー信号とを示す図であり、図１０の（ａ）部分は、対物レンズ位置の遷移を示す図であり、図１０の（ｂ）部分は、フォーカスエラー信号を示すものである。
【図１１】レーザスポット内の温度分布を説明するための説明図である。
【図１２】凹状のグルーブと凸状のランドにレーザが照射されている状態を説明するための説明図である。
【図１３】オフセット量とジッタとの関係を示すグラフ図である。
【図１４】レーザパワーと、受光部の内周側信号と外周側信号との電圧値差との関係を示すグラフ図である。
【図１５】本発明の実施の形態２における光情報記録媒体を記録再生する記録再生システムの一例を示す説明図である。
【図１６】図１５のオフセット量決定部の構成を示すブロック図である。
【図１７】本発明の実施の形態２における光情報記録媒体の記録方法の処理手順を示すフローチャートである（その１）。
【図１８】本発明の実施の形態２における光情報記録媒体の記録方法の処理手順を示すフローチャートである（その２）。
【図１９】本発明の実施の形態２における光情報記録媒体の記録方法の処理手順を示すフローチャートである（その３）。
【発明を実施するための形態】
【００７３】
以下、本発明の実施の形態について、図面を参照しながら説明する。なお、同一部分には同一符号を付し、図面で同一の符号が付いたものは、説明を省略する場合もある。
【００７４】
（実施の形態１）
図３は、本発明の実施の形態１における光情報記録媒体の再生システムの構成を示すブロック図である。本実施の形態における再生システム１００は、一般的な多層光情報記録媒体を再生するシステムであると共に、その多層光情報記録媒体の「スーパーＲＯＭ現象」の発現度合いを評価し、選別するシステムである。
【００７５】
以下では、この再生システム１００により再生されると共に、評価、選別される光情報記録媒体として、図８に示す４層の光情報記録媒体４００を例として説明する。
【００７６】
図３に示すように、再生システム１００のディスク駆動モータ１０１は、円盤状の光情報記録媒体４００を所定の速度で回転駆動させる。このディスク駆動モータ１０１は、モータ制御回路１０９によって制御されている。また、このように回転駆動している光情報記録媒体４００からの情報の読み取りは、光学ピックアップ１０２によって行われる。
【００７７】
光学ピックアップ１０２は、フィードモータ１１１の駆動力によって、光情報記録媒体４００の半径方向に移動できるように構成されている。このフィードモータ１１１は、フィードモータ制御回路１０８によって制御されている。また、フィードモータ１１１は、その回転速度が速度検出器１１２によって検出されるように構成されている。そして、速度検出器１１２は、検出した結果を速度信号として、フィードモータ制御回路１０８に供給する。
【００７８】
光学ピックアップ１０２は、対物レンズ１０２ａを備えている。この対物レンズ１０２ａは、フォーカス方向（光軸方向）とトラッキング方向（光情報記録媒体４００の半径方向）とに、それぞれ移動可能なように支持されている。そして、この対物レンズ１０２ａは、フォーカス制御回路１０５にて生成されたフォーカス制御信号がフォーカス駆動コイル１０２ｃに供給されることによって、フォーカス方向の位置が制御される。
【００７９】
同様に、対物レンズ１０２ａは、トラッキング制御回路１０６にて生成されたトラッキング制御信号がトラッキング駆動コイル１０２ｂに供給されることによって、トラッキング方向の位置が制御される。
【００８０】
また、レーザ制御回路１０３は、光学ピックアップ１０２内の半導体レーザ発振器１０２ｆを駆動し、半導体レーザ発振器１０２ｆにおいてレーザ光を発生させる。光量検出器１０２ｇは、この半導体レーザ発振器１０２ｆで発生するレーザ光の光量を検出し、この検出結果をレーザ制御回路１０３に帰還する。この構成により、レーザ制御回路１０３は、半導体レーザ発振器１０２ｆに発生させるレーザ光の光量を一定に制御することができる。
【００８１】
そして、この半導体レーザ発振器１０２ｆで発生したレーザ光は、コリメータレンズ１０２ｅを通過してハーフプリズム１０２ｄにて直角に折曲された後、対物レンズ１０２ａにより、光情報記録媒体４００の何れかの情報記録層上に集光することになる。
【００８２】
ここで、この光情報記録媒体４００の何れかの情報記録層とは、図８に示す第１情報記録層Ａ、第２情報記録層Ｂ、第３情報記録層Ｃまたは第４情報記録層Ｄを指す。なお、第１情報記録層Ａ、第２情報記録層Ｂ、第３情報記録層Ｃ、及び第４情報記録層Ｄは、いずれも、情報に応じて設けられた凹凸からなるプリピット上にＡＰＣ（ＡｇＰｄＣｕ）が成膜されることでＡＰＣ（ＡｇＰｄＣｕ）の形状が固定された情報の読み出しのみ可能なＲＯＭ層である。なお、光情報記録媒体４００はさらに、透光層１０と、３つの中間層３０と、基板５０とを備えている。
【００８３】
また、光情報記録媒体４００からの反射光は、対物レンズ１０２ａを逆行し、ハーフプリズム１０２ｄを直進した後、集光レンズ１０２ｈ及びシリンドリカルレンズ１０２ｉを介して、光電変換器１０２ｊに受光される。この光電変換器１０２ｊは、受光量に応じた電気信号を発生する４つのフォトディテクタ１０２ｊ１〜１０２ｊ４によって構成されている。
【００８４】
この光電変換器１０２ｊの場合、フォトディテクタ１０２ｊ１とフォトディテクタ１０２ｊ２とが並ぶ方向及びフォトディテクタ１０２ｊ３とフォトディテクタ１０２ｊ４とが並ぶ方向が、光情報記録媒体４００のトラッキング方向に対応する。
【００８５】
同様に、フォトディテクタ１０２ｊ１とフォトディテクタ１０２ｊ４とが並ぶ方向及びフォトディテクタ１０２ｊ２とフォトディテクタ１０２ｊ３とが並ぶ方向が、光情報記録媒体４００の接線方向に対応する。
【００８６】
フォトディテクタ１０２ｊ１から出力された電気信号は、増幅回路１１４ａを介して加算回路１１３ａ・１１３ｄの１端にそれぞれ供給され、フォトディテクタ１０２ｊ２から出力された電気信号は、増幅回路１１４ｂを介して加算回路１１３ｂ・１１３ｃの１端にそれぞれ供給される。
【００８７】
また、フォトディテクタ１０２ｊ３から出力された電気信号は、増幅回路１１４ｃを介して加算回路１１３ａ・１１３ｃの他端にそれぞれ供給され、フォトディテクタ１０２ｊ４から出力された電気信号は、増幅回路１１４ｄを介して加算回路１１３ｂ・１１３ｄの他端にそれぞれ供給されている。
【００８８】
加算回路１１３ａの出力信号は、差動増幅回路１０４の反転入力端子−に供給され、加算回路１１３ｂの出力信号は、差動増幅回路１０４の非反転入力端子＋に供給されている。この差動増幅回路１０４は、加算回路１１３ａ・１１３ｂの出力信号の差を算出することによってフォーカスエラー信号を生成し、フォーカス制御回路１０５に供給している。このフォーカス制御回路１０５は、入力されたフォーカスエラー信号が０レベルとなるようにフォーカス駆動コイル１０２ｃに与えるフォーカス制御信号を生成し、対物レンズ１０２ａに対するフォーカスサーボが行われる。
【００８９】
ここで、差動増幅回路１０４から出力されるフォーカスエラー信号は、対物レンズ１０２ａによるレーザ光の集光位置を、その初期位置からフォーカス方向に順次移動させてフォーカスサーチ処理（すなわち、情報記録層数をカウントする処理）が行われた場合、図９に示すように、Ｓ字特性を描く。具体的には、上記フォーカスサーチ処理が行われた場合、フォーカスエラー信号は、対物レンズ１０２ａによるレーザ光の焦点位置が、図８に示す各情報記録層（第１情報記録層Ａ、第４情報記録層Ｄ、第３情報記録層Ｃ及び第２情報記録層Ｂ）を通過する毎に、図９に示すようなＳ字特性を描く。
【００９０】
なお、上記初期位置とは、対物レンズ１０２ａのフォーカス前の位置であり、通常、図８においては、光情報記録媒体４００の第１情報記録層Ａの下方であって、光情報記録媒体４００から光軸方向に最も離れた位置を指す。
【００９１】
例えば、光情報記録媒体４００の再生開始時には、再生システム１００は、最初に、光学ピックアップ１０２内の半導体レーザ発振器１０２ｆにて、単層光情報記録媒体に対応した再生光を発生させる。
【００９２】
次に、対物レンズ１０２ａによるレーザ光の集光位置を、上記初期位置から図３においては上方に、駆動上限位置まで移動させる。そして、再生システム１００は、フォーカスエラー信号が所定の基準電圧＋Ｖ０を越えた回数をカウントすることにより、光情報記録媒体４００の情報記録層数を認識する。
【００９３】
その後、再生システム１００は、光情報記録媒体４００が有する情報記録層数に基づいて定められた再生光パワーを変更する。そして、再生システム１００は、変更された再生光パワーにて、対物レンズ１０２ａによるレーザ光の集光位置を、駆動上限位置から図３においては下方に、初期位置まで移動させる。そのときに、最初にフォーカスサーチ処理される情報記録層から検出されるフォーカスエラー信号の電圧値が、適切な値となるようフォーカス制御回路１０５等に含まれる増幅器のゲインを変更する。
【００９４】
そして、例えば、第２情報記録層Ｂにフォーカスサーチ処理する場合、再生システム１００は、フォーカスエラー信号が所定の基準電圧＋Ｖ０を越えた回数をカウントし、４回目となった後、最初に０レベル（フォーカスサーボ動作の中心レベル）となった時点でフォーカスサーボをＯＮ状態とする。これにより、再生システム１００における第２情報記録層Ｂに対するフォーカスサーチ処理が終了される。
【００９５】
なお、図１０は、再生システム１００によって上述の第２情報記録層Ｂにフォーカスサーチ処理が行われたときの対物レンズ位置の遷移とフォーカスエラー信号とを示す図であり、同図（ａ）は、対物レンズ位置の遷移を示す図であり、同図（ｂ）は、フォーカスエラー信号を示すものである。
【００９６】
また、例えば、第４情報記録層Ｄから第２情報記録層Ｂにレイヤージャンプする場合、再生システム１００は、フォーカスサーボを一旦ＯＦＦ状態にし、第４情報記録層Ｄから第２情報記録層Ｂに対物レンズ１０２ａによるレーザ光の焦点位置を順次移動させる。そして、再生システム１００は、差動増幅回路１０４から出力されるフォーカスエラー信号が所定の基準電圧＋Ｖ０を越えた回数をカウントし、２回目となった後、最初に０レベル（フォーカスサーボ動作の中心レベル）となった時点でフォーカスサーボをＯＮ状態とする。これにより、レイヤージャンプ処理が終了する。なお、レイヤージャンプ処理については、フォーカスサーチ処理とほぼ同じ処理のため図示していない。
【００９７】
また、これらのフォーカスサーチ処理が行われたとき、位相差検出回路１０７は、光電変換器１０２ｊのフォトディテクタ１０２ｊ１・１０２ｊ４の出力信号の和と、フォトディテクタ１０２ｊ２・１０２ｊ３の出力信号の和との位相差が検出する。そして、位相差検出回路１０７は、この検出結果をトラッキングエラー信号としてトラッキング制御回路１０６に供給する。
【００９８】
このトラッキング制御回路１０６は、入力されたトラッキングエラー信号に基づいてトラッキング駆動コイル１０２ｂに与えるトラッキング制御信号を生成し、対物レンズ１０２ａに対してトラッキングサーボを施す。そして、再生システム１００では、このトラッキングサーボが行われている状態で光情報記録媒体４００の再生が行われる。そして、加算回路１１３ｃ・１１３ｄから出力された電気信号が加算回路１１３ｅで合計され、データ再生回路１１０でデジタル信号に変換される。
【００９９】
なお、再生システム１００のレーザ制御回路１０３、フォーカス制御回路１０５、トラッキング制御回路１０６、モータ制御回路１０９及びデータ再生回路１１０は、制御部１１５によって制御されている。制御部１１５には、再生システム１００に装填される光情報記録媒体４００の記録・再生に関する情報が記憶されている。制御部１１５は、この情報に従って上記回路を制御することとなる。
【０１００】
次に、本実施の形態における再生システム１００の検査部１１６について説明する。この検査部１１６は、再生システム１００が光情報記録媒体４００の「スーパーＲＯＭ現象」の発現度合いを評価し、選別するためのものである。
【０１０１】
なお、本実施の形態では、光情報記録媒体４００を評価、選別する検査部１１６を再生システム１００に設けているが、本発明はこの構成に限られるものではない。例えば、この検査部１１６の構成を再生システム１００とは別体の構成とし、光情報記録媒体４００の検査装置として、再生システム１００に適宜接続する構成であってもよい。要は、後述する検査部１１６と同一の構成及び動作を実現できれば、再生システム１００の一部であってもよいし、別体であっても構わない。
【０１０２】
図４は、検査部１１６の構成を示すブロック図である。検査部１１６は、図４に示すように、トラッキング処理指示部６０と、回転数設定部６１と、レーザパワー設定部６２と、検査条件記憶部６３と、差動信号取得部（検出部）６４と、算出部（検出部）６５と、差動信号記憶部６６と、判定部６７と、良品判定基準値記憶部６８と、表示部６９と、を有している。
【０１０３】
トラッキング処理指示部６０は、制御部１１５に接続されており、光情報記録媒体４００を評価、選別するための検査処理を実行する際に、光情報記録媒体４００に対して施すべき処理を制御部１１５に指示する。そして、トラッキング処理指示部６０は、この制御部１１５への指示を介して、光情報記録媒体４００に所望の処理を実行する。
【０１０４】
回転数設定部６１は、検査部１１６による検査処理において光情報記録媒体４００の回転数として設定すべき回転数をトラッキング処理指示部６０に設定する。
【０１０５】
レーザパワー設定部６２は、検査部１１６による検査処理において光情報記録媒体４００に照射されるレーザパワーとして設定すべきレーザパワーをトラッキング処理指示部６０に設定する。
【０１０６】
このようにして設定された回転数及びレーザパワーを、トラッキング処理指示部６０は制御部１１５を介して所定の回路に通知する。
【０１０７】
検査条件記憶部６３は、あらかじめ用意された検査条件を記憶する。この検査条件は、回転数設定部６１によりトラッキング処理指示部６０に設定される回転数及び、レーザパワー設定部６２によりトラッキング処理指示部６０に設定されるレーザパワーである。この検査条件は、再生システム１００の利用者により、適宜、検査条件記憶部６３に入力される。
【０１０８】
また、検査条件記憶部６３は、ハードディスクドライブ等の磁気ディスク装置や半導体メモリ等の公知の記憶装置から適宜選択して用いることができる。
【０１０９】
差動信号取得部６４は、増幅回路１１４ｂを介してフォトディテクタ１０２ｊ２に接続されていると共に、増幅回路１１４ｃを介してフォトディテクタ１０２ｊ３に接続されている。そして、差動信号取得部６４は、これら増幅回路１１４ｂ及び１１４ｃにより増幅された、フォトディテクタ１０２ｊ２及び１０２ｊ３の各出力信号を取得する。
【０１１０】
差動信号取得部６４は、フォトディテクタ１０２ｊ２及び１０２ｊ３の各出力信号からなる２つの信号を差動信号として算出部６５及び差動信号記憶部６６に出力する。
【０１１１】
なお、差動信号取得部６４は、フォトディテクタ１０２ｊ２及び１０２ｊ３に代えて、フォトディテクタ１０２ｊ１及び１０２ｊ４の出力信号を取得しても良い。この場合であれば、差動信号取得部６４は、増幅回路１１４ａを介してフォトディテクタ１０２ｊ１に接続されていると共に、増幅回路１１４ｄを介してフォトディテクタ１０２ｊ４に接続される。そして、差動信号取得部６４は、これら増幅回路１１４ａ及び１１４ｄにより増幅された、フォトディテクタ１０２ｊ１及び１０２ｊ４の各出力信号を取得する。
【０１１２】
このように、差動信号取得部６４は、光情報記録媒体４００の接線方向に並んで配置されているフォトディテクタ１０２ｊ２及び１０２ｊ３の各出力信号、または、フォトディテクタ１０２ｊ１及び１０２ｊ４の各出力信号を取得する。もちろん、差動信号取得部６４は、フォトディテクタ１０２ｊ１及び１０２ｊ２の各出力信号の和と、フォトディテクタ１０２ｊ３及び１０２ｊ４の各出力信号の和を取得してもよい。
【０１１３】
算出部６５は、差動信号取得部６４により取得された差動信号が入力されると、差動信号記憶部６６に記憶されている差動信号を取得し、これら２つの差動信号の差を算出する。そして、算出部６５は、これら差動信号の差の算出結果を判定部６７に出力する。
【０１１４】
差動信号記憶部６６は、差動信号取得部６４により取得される差動信号を記憶する。差動信号記憶部６６は、ハードディスクドライブ等の磁気ディスク装置や半導体メモリ等の公知の記憶装置から適宜選択して用いることができる。なお、検査条件記憶部６３と差動信号記憶部６６は、それぞれ必要なデータが記憶可能であればよく、それぞれを別の記憶装置で実現してもよいし、１つの記憶装置の中で記憶領域を分割することで実現してもよい。
【０１１５】
判定部６７は、算出部６５の算出結果に基づいて、光情報記録媒体４００を評価し、選別するための判定処理を実行する。判定部６７は、この判定処理を実行する際、その判定基準となる良品判定基準値を良品判定基準値記憶部６８から取得する。そして、判定部６７は、この良品判定基準値に対して算出部６５の算出結果の大小を比較し、その比較結果に基づいて、上記の判定処理を実行する。
【０１１６】
良品判定基準値記憶部６８は、あらかじめ用意された良品判定基準値を記憶する。この良品判定基準値は、再生システム１００の利用者により、適宜、良品判定基準値記憶部６８に入力される。
【０１１７】
また、良品判定基準値記憶部６８は、ハードディスクドライブ等の磁気ディスク装置や半導体メモリ等の公知の記憶装置から適宜選択して用いることができる。なお、検査条件記憶部６３と差動信号記憶部６６と良品判定基準値記憶部６８は、それぞれ必要なデータが記憶可能であればよく、それぞれを別の記憶装置で実現してもよいし、１つの記憶装置の中で記憶領域を分割することで実現してもよい。
【０１１８】
表示部６９は、判定部６７の判定結果を表示する。表示部６９は、液晶表示パネル等の表示装置を有し、判定結果に対応する情報等を表示する。
【０１１９】
次に、検査部１１６の動作について説明する。図１は、検査部１１６の動作を説明するためのフローチャートである。
【０１２０】
図１において、再生システム１００に検査対象である光情報記録媒体４００が装填されると、先ず、検査部１１６の回転数設定部６１は、検査条件記憶部６３にあらかじめ記憶されている光情報記録媒体４００の回転数を取得し、トラッキング処理指示部６０に設定する。
【０１２１】
そして、トラッキング処理指示部６０は、回転数設定部６１により設定された回転数で光情報記録媒体４００を回転させるよう、制御部１１５に指示する。制御部１１５は、モータ制御回路１０９を介してディスク駆動モータ１０１を駆動し、トラッキング処理指示部６０により指示された回転数で光情報記録媒体４００を回転させる（ステップＳ１０１）。
【０１２２】
なお、光情報記録媒体４００の回転数としては、例えば、光情報記録媒体４００に情報信号を記録する際の回転数を用いればよい。
【０１２３】
トラッキング処理指示部６０は、光情報記録媒体４００の例えば利用者が光情報記録媒体４００に情報を記録する記録領域内のいずれかの場所等の所定の測定箇所に対向する位置に、光学ピックアップ１０２を移動するよう、制御部１１５に指示する。制御部１１５は、フィードモータ制御回路１０８を介してフィードモータ１１１を駆動し、トラッキング処理指示部６０により指示された位置に光学ピックアップ１０２を移動させる（ステップＳ１０２）。
【０１２４】
レーザパワー設定部６２は、検査条件記憶部６３にあらかじめ記憶されている光情報記録媒体４００に照射される第１のレーザパワーを取得し、トラッキング処理指示部６０に設定する。
【０１２５】
そして、トラッキング処理指示部６０は、半導体レーザ発振器１０２ｆから出射されるレーザのレーザパワーがレーザパワー設定部６２により設定された第１のレーザパワーとなるよう、制御部１１５に指示する。制御部１１５は、レーザ制御回路１０３を介して半導体レーザ発振器１０２ｆを駆動し、半導体レーザ発振器１０２ｆのレーザパワーをトラッキング処理指示部６０により指示された第１のレーザパワーに固定する（ステップＳ１０３）。
【０１２６】
なお、光情報記録媒体４００に照射される第１のレーザパワーとしては、例えば、光情報記録媒体４００を再生する際のレーザパワーを用いればよい。
【０１２７】
トラッキング処理指示部６０は、光情報記録媒体４００にレーザが照射されると、検査対象の記録層にフォーカスサーチ処理をするよう、制御部１１５に指示する。制御部１１５は、検査対象の記録層に対し、上述したフォーカスサーチ処理を実行する（ステップＳ１０４）。
【０１２８】
トラッキング処理指示部６０は、検査対象の記録層に対するフォーカスサーチ処理が実行された後、検査対象の記録層に対するトラッキング処理を実行するよう、制御部１１５に指示する。制御部１１５は、検査対象の記録層にある任意のトラックあるいは特定のトラックに対し、上述したトラッキング処理を実行する（ステップＳ１０５）。
【０１２９】
差動信号取得部６４は、トラッキング処理が実行されると、増幅回路１１４ｂを介してフォトディテクタ１０２ｊ２の出力信号を取得すると共に、増幅回路１１４ｃを介してフォトディテクタ１０２ｊ３の出力信号を取得する。そして、差動信号取得部６４は、フォトディテクタ１０２ｊ２及び１０２ｊ３の各出力信号からなる２つの信号を差動信号として差動信号記憶部６６に出力する。差動信号記憶部６６は、差動信号取得部６４により取得された差動信号を記憶する（ステップＳ１０６）。
【０１３０】
なお、本ステップＳ１０６において検出される差動信号は、上記のステップＳ１０５のトラッキング処理の実行により取得されるものである。以下では、本ステップＳ１０６の差動信号を「第１の差動信号」と呼ぶ。
【０１３１】
また、本ステップＳ１０６においてはさらに、光情報記録媒体４００の回転方向を逆転させ、２つ目の第１の差動信号を取得するようにしてもよい。そうすることにより、回転方向が異なる場合各々の第１の差動信号を基に、例えば、それらを平均化すれば、光情報記録媒体４００の回転方向におけるピックアップ固有の温度分布に起因する第１の差動信号のバラツキを抑えることができる。その結果、検査部１１６の検査精度が向上する。
【０１３２】
レーザパワー設定部６２は、検査条件記憶部６３にあらかじめ記憶されている光情報記録媒体４００に照射される第２のレーザパワーを取得し、トラッキング処理指示部６０に設定する。
【０１３３】
そして、トラッキング処理指示部６０は、半導体レーザ発振器１０２ｆから出射されるレーザのレーザパワーがレーザパワー設定部６２により設定された第２のレーザパワーとなるよう、制御部１１５に指示する。制御部１１５は、レーザ制御回路１０３を介して半導体レーザ発振器１０２ｆを駆動し、半導体レーザ発振器１０２ｆのレーザパワーをトラッキング処理指示部６０により指示された第２のレーザパワーに固定する（ステップＳ１０７）。
【０１３４】
なお、光情報記録媒体４００に照射される第２のレーザパワーは、上述した「スーパーＲＯＭ現象」が発現するレーザパワーであり、少なくとも、第１のレーザパワーを上回るものである。
【０１３５】
トラッキング処理指示部６０は、半導体レーザ発振器１０２ｆのレーザパワーが第２のレーザパワーに固定された後、差動信号取得部６４は、増幅回路１１４ｂを介してフォトディテクタ１０２ｊ２の出力信号を取得すると共に、増幅回路１１４ｃを介してフォトディテクタ１０２ｊ３の出力信号を取得する。そして、差動信号取得部６４は、フォトディテクタ１０２ｊ２及び１０２ｊ３の各出力信号からなる２つの信号を差動信号として算出部６５に出力する（ステップＳ１０８）。
【０１３６】
なお、本ステップＳ１０８において検出される差動信号は、第２のレーザパワーに固定された後に取得されるものである。以下では、本ステップＳ１０８の差動信号を「第２の差動信号」と呼ぶ。
【０１３７】
また、本ステップＳ１０８においても、上記のステップＳ１０６と同様に、光情報記録媒体４００の回転方向を逆転させ、２つ目の第２の差動信号を取得すればよい。そうすることにより、上記のステップＳ１０６の場合と同様の効果を得ることができる。
【０１３８】
検査部１１６は、このようにして取得された第１及び第２の差動信号を用いて、光情報記録媒体４００の良品判定処理を実行する（ステップＳ１０９）。図２は、本ステップＳ１０９における検査部１１６の動作を説明するためのフローチャートである。
【０１３９】
図２において、検査部１１６の算出部６５は、第１の差動信号と第２の差動信号との差（以下、単に「差動信号差」と呼ぶ場合もある。）を算出する。そして、算出部６５は、その算出結果である差動信号差を判定部６７に出力する（ステップＳ２０１）。
【０１４０】
判定部６７は、算出部６５から差動信号差が入力されると、良品判定基準値記憶部６８に記憶されている良品判定基準値を取得する。そして、判定部６７は、良品判定基準値に対する差動信号差の絶対値の大小を比較し、その比較結果に基づき検査対象の記録層についての光情報記録媒体４００の良品判定を実行する（ステップＳ２０３〜Ｓ２０５）。
【０１４１】
なお、この良品判定基準値は、例えば、再生不良が生じると予想されるトラッキングエラー信号の電圧変化値に安全率を乗じた値とすればよい。
【０１４２】
具体的には、判定部６７は、第１の差動信号と第２の差動信号との差である上記の差動信号差の絶対値が良品判定基準値より小さければ（ステップＳ２０３ＹＥＳ）、光情報記録媒体４００を良品であると判定する（ステップＳ２０４）。一方、判定部６７は、差動信号差の絶対値が良品判定基準値以上であれば（ステップＳ２０３ＮＯ）、光情報記録媒体４００を不良品であると判定する（ステップＳ２０５）。
【０１４３】
このようにして判定部６７は、光情報記録媒体４００に対する判定処理を実行し、その判定結果を表示部６９に出力する。
【０１４４】
表示部６９は、判定部６７の判定結果に従う情報を液晶表示パネル等の表示装置に表示させる（ステップＳ２０６）。
【０１４５】
本実施の形態において、光情報記録媒体の回転数、測定位置、第１及び第２のレーザパワー、良品判定基準値は、上記の値に限られるものではない。要は、市場にある平均的な温度分布を有するピックアップを搭載した光情報記録媒体駆動装置において、利用者が光情報記録媒体に情報を記録する際に、再生不良等の問題が生じない程度に適宜設定されていれば良い。
【０１４６】
また、第１及び第２の差動信号は、上述のように、フォトディテクタ１０２ｊ２と１０２ｊ３から得られたものでなくとも良く、フォトディテクタ１０２ｊ１と１０２ｊ４の各出力信号であっても良く、フォトディテクタ１０２ｊ１と１０２ｊ２の和と、フォトディテクタ１０２ｊ３と１０２ｊ４の和であっても良い。さらに、多数、または少数に分割したフォトディテクタの走査方向の前方領域及び後方領域の各出力信号を用いても良い。
【０１４７】
つまり、評価する光情報記録媒体に照射されるレーザパワーによって、フォトディテクタの走査方向の前方領域及び後方領域の各々から得られる差動信号に差が生じ、所定の良品判定基準値と比べられられる手法であれば良い。
【０１４８】
さらに、所定のレーザパワーは２種類に限定する必要はなく、１種類として、差動信号の電圧値を用いても良いし、ある範囲内にある数種のレーザパワーを用いて、範囲内における差動信号等の差を比較しても良い。
【０１４９】
次に、本実施の形態における再生システム１００が光情報記録媒体の「スーパーＲＯＭ現象」の発現度合いを評価し、選別することができる理由について、具体的に説明する。
【０１５０】
最初に、光情報記録媒体の記録時におけるスーパーＲＯＭ現象の発現について説明する。
【０１５１】
ピックアップのビームスポット内の温度分布が、光情報記録媒体の内周側または外周側に偏ると、その偏りはピックアップの製造時に制御できない。このため、記録型光情報記録媒体（Ｒ、ＲＥ）においては、記録膜に用いている材料、厚さ等により、以下のようなオフトラック記録が生じる場合がある。
【０１５２】
図５に、２つの異なる媒体についてのオフセット量とジッタとの関係を示す。
【０１５３】
媒体１は、基板上に、Ａｇ合金、ＺｎＳ−ＳｉＯ２、Ｃｕ合金、Ｓｉ、ＺｎＳ−ＳｉＯ２を順に成膜したＬ０層と、紫外線硬化樹脂からなる中間層と、ＴｉＯ２、ＢｉＯｘ＋ＧｅＯｙ、ＴｉＯ２を順に成膜したＬ１層と、紫外線硬化樹脂からなる透光層と、をこの順に形成した２層追記録媒体（Ｒ）である。
【０１５４】
媒体２は、基板上に、Ａｇ合金、誘電体、Ｔｅ−Ｏ−Ｐｄ、誘電体を順に成膜したＬ０層と、紫外線硬化樹脂からなる中間層と、Ａｇ合金、誘電体、Ｔｅ−Ｏ−Ｐｄ、誘電体を順に成膜したＬ１層と、紫外線硬化樹脂からなる透光層と、をこの順に形成した２層追記録媒体（Ｒ）である。
【０１５５】
そして、媒体１、２の各Ｌ０層に、市販のドライブを用いてジッタ測定用の信号を高速記録（ＢＤにおける４倍記録）し、上記信号を記録したトラックの半径方向中心に対して、再生光照射中心位置を半径方向にずらしながら（トラックの半径方向中心に対する半径方向のオフセット量を変えながら）再生を行った。図５は、このジッタのオフセット量依存を測定した結果である。
【０１５６】
図５に示すように、媒体１においては、オフセット量が０でないところでジッタがボトムになっていることが分かる。すなわち、記録信号がトラック中心からずれて記録されていることになる。この現象は、各ドライブにおいて差があるものの、全て媒体１において起こった。
【０１５７】
この原因を解析したところ、上述の「スーパーＲＯＭ現象」が起因していると思われることが分かった。
【０１５８】
背景技術の欄でも述べたように、「スーパーＲＯＭ現象」は特許文献４及び非特許文献１に記載されている解像限界以下の長さのピットを再生可能とする技術である。
【０１５９】
ほとんど全ての材料は程度の大小はあれ、「スーパーＲＯＭ現象」を起こし、再生レーザパワーが高くなるにつれて、解像限界以下の単一周波数で記録された解像限界以下の長さのピットが再生可能になる。そして、「スーパーＲＯＭ現象」は熱に起因する現象である。また、「スーパーＲＯＭ現象」を引き起こす材料としてはＳｉ、Ｇｅが最も大きく発現し、Ａｕが最も少ない材料の一つとなっている。
【０１６０】
ここで、「スーパーＲＯＭ現象」とオフトラック現象に相関があることを確認するために、基板上に、５０ｎｍのＳｉと、１００μｍの透光層を、この順に配置した媒体３と、基板上に、５０ｎｍのＡｕと、１００μｍの透光層を、この順に配置した媒体４を作成し、オフトラック時の各媒体における半径方向に２分割された受光部の内周側信号と外周側信号を再生パワー別に測定し、比較した。媒体４の結果を図６（ａ）、媒体３の結果を図６（ｂ）に示す。
【０１６１】
図６（ａ）に示すように、媒体４では、低再生レーザパワー（０．３ｍＷ）時の内周側信号Ｓ１と外周側信号Ｓ２の位相差Ｐ１と、高再生レーザパワー（４．０ｍＷ）時の内周側信号Ｓ１と外周側信号Ｓ２の位相差Ｐ２とは、ほぼ等しいものとなっている。
【０１６２】
一方、図６（ｂ）に示すように、媒体３では、低再生レーザパワー（０．３ｍＷ）時の内周側信号Ｓ４と外周側信号Ｓ３の位相差Ｐ３と比較して、高再生レーザパワー（４．０ｍＷ）時の内周側信号Ｓ４と外周側信号Ｓ３の位相差Ｐ４が明らかに小さくなっている。
【０１６３】
すなわち、「スーパーＲＯＭ現象」が発現しやすい媒体３においてのみ、高再生レーザパワー時に、内周側信号Ｓ４と外周側信号Ｓ３の位相がずれていることが確認できる。
【０１６４】
このことは、内周側信号Ｓ４と外周側信号Ｓ３からなる差動信号であるプッシュプル信号が低再生レーザパワー時と高再生レーザパワー時で異なることを示している。プッシュプル信号はトラック中心にレーザスポットが照射されるように制御するための信号であるので、低再生レーザパワー時のスポット中心と高再生レーザパワー時のスポットの中心が異なることを示している。
【０１６５】
上記原因を推測すると、「スーパーＲＯＭ現象」が熱に起因する現象であるので、ピックアップから媒体に照射されるレーザスポット内の内周側信号が得られる領域と外周側信号が得られる領域との間に温度差が生じており、再生レーザパワーが上がるにつれ、その差が顕著になり、内周側と外周側で「スーパーＲＯＭ現象」の発現度合いに差が生じたものと考えられる。
【０１６６】
また、この温度差は、ピックアップの製造段階のバラツキによって生じると考えられ、現時点では制御することは困難である。
【０１６７】
なお、高速記録時におけるレーザパワーは記録のために高いパワーとなるので、高再生レーザパワー時と同様と考えることができる。
【０１６８】
一方、媒体１、２においてオフトラック記録が起こっているのは、上述のように「スーパーＲＯＭ現象」を引き起こす材料として知られるＳｉ膜を有する媒体１である。
【０１６９】
すなわち、「スーパーＲＯＭ現象」を発現しやすいＳｉを用いた媒体１、３でのみ、低再生レーザパワー時のスポット中心と高再生レーザパワー時のスポットの中心が異なることを示していることになり、Ｒ媒体における高速記録時のオフトラック記録の原因が「スーパーＲＯＭ現象」にある可能性が高いと思われる。
【０１７０】
なお、上記現象はＲ媒体にのみ起こる現象ではなく、「スーパーＲＯＭ現象」がほとんど全ての材料で起こり得ることから、程度の差はあるが、「スーパーＲＯＭ現象」はＲＷまたはＲＥ媒体等も含めた記録型媒体全般に起こり得るものである。
【０１７１】
ところで、オフトラック記録の原因が「スーパーＲＯＭ現象」であるならば、以下のことが予想できる。
【０１７２】
すなわち、ＢＤにおける４倍記録よりもさらに高速な記録に対応する媒体では、記録パワーはますます高くなり、同時に「スーパーＲＯＭ現象」が起き易い媒体では、オフトラック記録が顕著になると予想できる。
【０１７３】
また、レーザスポット内に生じる温度差が顕著なピックアップを有するドライブでは、さらに顕著になることが予想できる。このような理由により、より高速記録に対応する媒体を製造するためには、媒体の「スーパーＲＯＭ現象」の発現度合いを測定し、一定の基準内に抑制された媒体を選別する必要があった。
【０１７４】
しかしながら、媒体における記録トラックの内周側と外周側のそれぞれに起こる「スーパーＲＯＭ現象」は、ピックアップ毎の温度分布に依存するため、ピックアップ毎に測定値が異なってしまう。また、媒体３、４における測定のように、トラッキングを行わず、トラックを横断する際の信号を測定する方法は、媒体の偏芯の度合い等により、トラックをレーザスポットが横切る速度が異なるため、一定の基準で測定することができなかった。
【０１７５】
そこで、本実施の形態では、受光部の分割方向をトラック方向に変更しているので、ディスクの任意の回転数で回転させることによって、任意の温度ズレを再現できる。
【０１７６】
また、一般的には、トラックの側壁にはウォブルがあることにより、上記トラック横断と同様の状態が再現できる。よって、一定の基準で「スーパーＲＯＭ現象」の発現度合いを測定することが可能となる。
【０１７７】
上記を確認するために、Ｂｌｕ−ｒａｙ  Ｄｉｓｃ（ＢＤ）の標準評価機である波長４０５ｎｍ、ＮＡ０．８５の光学系を有するパルステック製ＯＤＵ−１０００にて、上述した媒体１と媒体２の測定結果を比較した。
【０１７８】
なお、所定の測定位置はＲ＝５０ｍｍ、媒体１、２の回転数は９４０ｒｐｍ（線速４．９２ｍ／ｓ相当）、測定層は共にＬ０層、第１のレーザパワーは２層のＢＤ−Ｒの再生レーザパワーである０．７ｍＷ、第２のレーザパワーは、３ｍＷ、５ｍＷ、７ｍＷ、１０ｍＷ、１２ｍＷを用いた。結果を図７に示す。
【０１７９】
図７から明らかなように、媒体２においては、照射レーザパワーが３〜１２ｍＷまで差動信号の電圧差に誤差を除く変動は見られず、媒体１においてのみ、１０ｍＷ程度から差動信号の電圧差が変化し始め、１２ｍＷで明らかに差が生じていることが分かる。
【０１８０】
すなわち、媒体１でのみ照射レーザパワー１２ｍＷで明らかに「スーパーＲＯＭ現象」が生じていることになる。
【０１８１】
また、図５における媒体１への記録パワーも上記同様１２ｍＷであり、記録時のオフトラック記録が上記の検査方法にて確認可能であることも確認できた。
【０１８２】
また、上記の検査方法では、別の評価機に変更しても同様の結果が得られることが確認できた。
【０１８３】
上で述べたように、図５に示した媒体１の場合、記録信号がトラック中心からずれて記録されており、そのオフセット量は、媒体１への記録パワー（第２のレーザパワー）が１２ｍＷの下で、０．００３μｍであった（図１３を参照）。さらに、オフセット量が０．０１３μｍ以上になると、ジッタが７％を超えてしまい、ドライブ装置での再生に支障が生じる可能性が大きくなる。
【０１８４】
ここで、上で述べたオフトラック記録の原因であると思われる「スーパーＲＯＭ現象」は、照射されるレーザパワーが増加すると、光学系解像限界より小さいピットを再生することが可能となり、その結果、ピット再生のＣ/Ｎ（信号品質の指標の一つ）が、照射されるレーザパワーの増加に比例して大きくなることが知られている。
【０１８５】
したがって、図７に示した低いレーザパワー（第1のレーザパワー）時と高いレーザパワー（第２のレーザパワー）時との差動信号の電圧差も、第２のレーザパワーの増加に比例して大きくなることが予想される（図１４のＥで示す部分を参照）。
【０１８６】
上記の差動信号の電圧差の量がオフセット量に比例すると考えれば、次のことが予想される。すなわち、媒体１への記録パワーが１２ｍＷのときにオフセット量が０．００３μｍであることを基にすれば、オフセット量が上で述べた０．０１３μｍ以上になるのは、第２のレーザパワーが２１ｍＷ以上となったときである。そして、このとき、少なくとも今回の検証に用いた市販ドライブでは、媒体１の再生に支障が生じる可能性があるといえる。
【０１８７】
逆にいえば、記録パワーが１２ｍＷのときにオフセット量が略ゼロであること、つまり、記録パワーが１２ｍＷのときに本実施の形態の検査方法を用いて検査した結果、良品であると判定される媒体であれば、記録パワーが２１ｍＷ以上となったときでも、オフセット量が０．０１３μｍ以上になることはなく、ジッタが７％を超えてしまうことがない。すなわち、ドライブ装置での再生に支障が生じる可能性が小さくなる。
【０１８８】
なお、図５、図７、図１３、図１４のいずれにおいても、上で述べた媒体１の測定層はトラックピッチが０．３２μｍであるグルーブを持つものであった。また、図５、図７、図１３、図１４は、開口数が０．８５の対物レンズを通して、波長４０５ｎｍのレーザ光が照射された場合における結果である。
【０１８９】
なお、この媒体１のグルーブのトラックピッチが０．３０〜０．３４μｍであれば、開口数が０．８４〜０．８６の対物レンズを通して、波長４００〜４１０ｎｍのレーザ光が照射された場合に上記と同様の効果を得ることが可能と思われる。
【０１９０】
（実施の形態２）
次に、本発明の実施の形態２について説明する。図１５は、本発明の実施の形態２における光情報記録媒体の記録再生システム（記録装置）の構成を示すブロック図である。本実施の形態における記録再生システム２００は、一般的な多層光情報記録媒体を記録再生するシステムであると共に、その多層光情報記録媒体の「スーパーＲＯＭ現象」の発現度合いに起因するオフトラック記録を補正し、その多層光情報記録媒体の再生不良を防止するシステムである。
【０１９１】
なお、図１５の記録再生システム２００は、図３に示した再生システム１００の検査部１１６を、オフセット量決定部（ＯＳ量決定部）２０１に置き換えたものである。以下、この置き換えた構成について説明するものとし、その他の同一の構成については説明を省略する。
【０１９２】
本実施の形態における記録再生システム２００において、オフセット量決定部２０１は、記録再生システム２００が光情報記録媒体４００の「スーパーＲＯＭ現象」の発現度合いに起因するオフトラック記録を補正し、その多層光情報記録媒体の再生不良を防止するためのものである。
【０１９３】
なお、本実施の形態では、オフセット量決定部２０１を記録再生システム２００に設けているが、本発明はこの構成に限られるものではない。例えば、このオフセット量決定部２０１の構成を記録再生システム２００とは別体の構成とし、光情報記録媒体４００のオフセット量決定装置として、記録再生システム２００に適宜接続する構成であってもよい。要は、後述するオフセット量決定部２０１と同一の構成及び動作を実現できれば、記録再生システム２００の一部であってもよいし、別体であっても構わない。
【０１９４】
図１６は、オフセット量決定部２０１の構成を示すブロック図である。オフセット量決定部２０１は、図１６に示すように、記録再生処理指示部７０と、回転数設定部７１と、レーザパワー設定部７２と、記録再生条件記憶部７３と、差動信号取得部（検出部）７４と、算出部（検出部）７５と、オフセット量決定条件記憶部（ＯＳ量決定条件記憶部）７６と、オフセット量取得部（ＯＳ量取得部）７７と、決定部７８と、を有している。
【０１９５】
記録再生処理指示部７０は、制御部１１５に接続されており、光情報記録媒体４００のオフトラック記録を補正するために必要なオフセット量を決定するためのオフセット量決定処理を実行する際に、光情報記録媒体４００に対して施すべき処理を制御部１１５に指示する。そして、記録再生処理指示部７０は、この制御部１１５への指示を介して、光情報記録媒体４００に所望の処理を実行する。
【０１９６】
回転数設定部７１は、オフセット量決定部２０１によるオフセット量決定処理において光情報記録媒体４００の回転数として設定すべき回転数を記録再生処理指示部７０に設定する。
【０１９７】
レーザパワー設定部７２は、オフセット量決定部２０１によるオフセット量決定処理において光情報記録媒体４００に照射されるレーザパワーとして設定すべきレーザパワーを記録再生処理指示部７０に設定する。
【０１９８】
このようにして設定された回転数及びレーザパワーを、記録再生処理指示部７０は制御部１１５を介して所定の回路に通知する。
【０１９９】
記録再生条件記憶部７３は、あらかじめ用意された記録再生条件を記憶する。この記録再生条件は、回転数設定部７１により記録再生処理指示部７０に設定される回転数及び、レーザパワー設定部７２により記録再生処理指示部７０に設定されるレーザパワーである。この記録再生条件は、記録再生条件記憶部７３に既知として入力されていても良いし、光情報記録媒体の所定の箇所（リードインエリア等）に予め記録されている情報を別途再生し得られた情報として記録されていても良いし、別途テストライトを行って得られた情報として記録されていても良い。
【０２００】
また、記録再生条件記憶部７３は、ハードディスクドライブ等の磁気ディスク装置や半導体メモリ等の公知の記憶装置から適宜選択して用いることができる。
【０２０１】
差動信号取得部７４は、増幅回路１１４ｂを介してフォトディテクタ１０２ｊ２に接続されていると共に、増幅回路１１４ｃを介してフォトディテクタ１０２ｊ３に接続されている。そして、差動信号取得部６４は、これら増幅回路１１４ｂ及び１１４ｃにより増幅された、フォトディテクタ１０２ｊ２及び１０２ｊ３の各出力信号を取得する。
【０２０２】
差動信号取得部７４は、フォトディテクタ１０２ｊ２及び１０２ｊ３の各出力信号からなる２つの信号を差動信号として算出部７５及びオフセット量決定条件記憶部７６に出力する。
【０２０３】
なお、差動信号取得部７４は、フォトディテクタ１０２ｊ２及び１０２ｊ３に代えて、フォトディテクタ１０２ｊ１及び１０２ｊ４の出力信号を取得しても良い。この場合であれば、差動信号取得部７４は、増幅回路１１４ａを介してフォトディテクタ１０２ｊ１に接続されていると共に、増幅回路１１４ｄを介してフォトディテクタ１０２ｊ４に接続される。そして、差動信号取得部７４は、これら増幅回路１１４ａ及び１１４ｄにより増幅された、フォトディテクタ１０２ｊ１及び１０２ｊ４の各出力信号を取得する。
【０２０４】
このように、差動信号取得部７４は、光情報記録媒体４００の接線方向に並んで配置されているフォトディテクタ１０２ｊ２及び１０２ｊ３の各出力信号、または、フォトディテクタ１０２ｊ１及び１０２ｊ４の各出力信号を取得する。もちろん、差動信号取得部７４は、フォトディテクタ１０２ｊ１及び１０２ｊ２の各出力信号の和と、フォトディテクタ１０２ｊ３及び１０２ｊ４の各出力信号の和を取得してもよい。
【０２０５】
算出部７５は、差動信号取得部７４により取得された差動信号が入力されると、オフセット量決定条件記憶部７６に記憶されている差動信号を取得し、これら２つの差動信号の差を算出する。そして、算出部７５は、これら差動信号の差の算出結果をオフセット量決定条件記憶部７６に記憶する。
【０２０６】
オフセット量決定条件記憶部７６は、差動信号取得部７４により取得される差動信号を記憶する。オフセット量決定条件記憶部７６は、ハードディスクドライブ等の磁気ディスク装置や半導体メモリ等の公知の記憶装置から適宜選択して用いることができる。なお、記録再生条件記憶部７３とオフセット量決定条件記憶部７６は、それぞれ必要なデータが記憶可能であればよく、それぞれを別の記憶装置で実現してもよいし、１つの記憶装置の中で記憶領域を分割することで実現してもよい。
【０２０７】
オフセット量取得部７７は、トラッキング制御回路１０６と接続されており、トラッキング制御回路１０６がトラッキング方向の位置を制御する際に用いたオフセット量を取得する。上述したように、トラッキング制御回路１０６は、トラッキング駆動コイル１０２ｂに与えるトラッキング制御信号を生成し、対物レンズ１０２ａに対してトラッキングサーボを施すが、このトラッキング状態から対物レンズ１０２ａを光情報記録媒体４００の半径方向に移動させる量が、上で述べたオフセット量である。
【０２０８】
また、オフセット量取得部７７は、トラッキング制御回路１０６から取得したオフセット量をオフセット量決定条件記憶部７６に記憶する。
【０２０９】
決定部７８は、オフセット量決定条件記憶部７６に記憶されている、光情報記録媒体４００の記録の際における上記の差動信号及びオフセット量を取得する。そして、決定部７８は、光情報記録媒体４００の再生の際における上記の差動信号が算出部７５から入力されると、オフセット量決定条件記憶部７６から取得した光情報記録媒体４００の記録の際における上記の差動信号及びオフセット量と、算出部７５から入力された上記の差動信号とを基に、光情報記録媒体４００の記録の際におけるオフセット量を決定する。
【０２１０】
また、決定部７８は、光情報記録媒体４００の記録の際におけるオフセット量を決定すると、そのオフセット量をトラッキング制御回路１０６に出力する。
【０２１１】
次に、オフセット量決定部２０１の動作について説明する。図１７、図１８及び図１９は、オフセット量決定部２０１の動作を説明するためのフローチャートである。
【０２１２】
図１７において、記録再生システム２００にオフセット量決定用の光情報記録媒体４００が装填されると、先ず、オフセット量決定部２０１の回転数設定部７１は、記録再生条件記憶部７３にあらかじめ記憶されている光情報記録媒体４００の回転数を取得し、記録再生処理指示部７０に設定する。
【０２１３】
ここで、オフセット量決定用の光情報記録媒体４００は、上で述べたオフトラック記録が発生することが予め分かっている記録媒体であるとする。
【０２１４】
なお、このようなオフセットトラック記録が発生することが予め分かっている、オフセット量決定用の光情報記録媒体４００は、記録再生システム２００を生産する装置メーカーであれば入手可能であるが、記録再生システム２００を購入し、利用するユーザであれば入手は困難である。このため、以下に述べる、オフセット量決定用の光情報記録媒体４００を用いたオフセット量決定部２０１の動作、つまり、図１７及び図１８のフローチャートに記載の動作は、装置メーカーにおいて行なわれるのが通常である。
【０２１５】
記録再生処理指示部７０は、回転数設定部７１により設定された回転数で光情報記録媒体４００を回転させるよう、制御部１１５に指示する。制御部１１５は、モータ制御回路１０９を介してディスク駆動モータ１０１を駆動し、記録再生処理指示部７０により指示された回転数で光情報記録媒体４００を回転させる（ステップＳ３０１）。
【０２１６】
光情報記録媒体４００の回転数は、光情報記録媒体４００に情報信号を記録する際の回転数を用いる。
【０２１７】
記録再生処理指示部７０は、光情報記録媒体４００の所定の記録箇所に対向する位置に、光学ピックアップ１０２を移動するよう、制御部１１５に指示する。制御部１１５は、フィードモータ制御回路１０８を介してフィードモータ１１１を駆動し、記録再生処理指示部７０により指示された位置に光学ピックアップ１０２を移動させる（ステップＳ３０２）。
【０２１８】
レーザパワー設定部７２は、記録再生条件記憶部７３にあらかじめ記憶されている光情報記録媒体４００に照射される記録用レーザパワーを取得し、記録再生処理指示部７０に設定する。
【０２１９】
そして、記録再生処理指示部７０は、半導体レーザ発振器１０２ｆから出射されるレーザのレーザパワーがレーザパワー設定部７２により設定された記録用レーザパワーとなるよう、制御部１１５に指示する。制御部１１５は、レーザ制御回路１０３を介して半導体レーザ発振器１０２ｆを駆動し、半導体レーザ発振器１０２ｆのレーザパワーを記録再生処理指示部７０により指示された記録用レーザパワーに固定する（ステップＳ３０３）。
【０２２０】
なお、本ステップＳ３０３では、光情報記録媒体４００に照射されるレーザパワーとして記録用レーザパワーを取得しているが、本実施の形態はこれに限るものではない。例えば、光情報記録媒体４００を再生する際のレーザパワーを取得し、その再生用のレーザパワーを用いて後述するステップＳ３０４及びステップＳ３０５の処理を行ってもよい。この場合であれば、後述するステップＳ３０６において改めて、記録再生処理指示部７０は、半導体レーザ発振器１０２ｆから出射されるレーザのレーザパワーがレーザパワー設定部７２により設定された記録用レーザパワーとなるよう、制御部１１５に指示することになる。
【０２２１】
また、実際に光情報記録媒体４００に情報を記録する場合には、複数のレーザパワーを組み合わせてパルス列となるようにレーザが照射されるので、本実施の形態においては、上記記録用レーザパワーは、上記組合せに用いられるレーザパワーのうち最大のレーザパワーを意味する。あるいは、上記記録用レーザパワーは、総エネルギー量が同じになるように均一化したレーザパワーや、各レーザパワーの平均値等であっても良い。
【０２２２】
記録再生処理指示部７０は、光情報記録媒体４００にレーザが照射されると、記録対象の記録層にフォーカスサーチ処理をするよう、制御部１１５に指示する。制御部１１５は、記録対象の記録層に対し、上述したフォーカスサーチ処理を実行する（ステップＳ３０４）。
【０２２３】
記録再生処理指示部７０は、記録対象の記録層に対するフォーカスサーチ処理が実行された後、記録対象の記録層に対するトラッキング処理を実行するよう、制御部１１５に指示する。制御部１１５は、記録対象の記録層にある任意のトラックあるいは特定のトラックに対し、上述したトラッキング処理を実行する（ステップＳ３０５）。
【０２２４】
差動信号取得部７４は、増幅回路１１４ｂを介してフォトディテクタ１０２ｊ２の出力信号を取得すると共に、増幅回路１１４ｃを介してフォトディテクタ１０２ｊ３の出力信号を取得する。そして、差動信号取得部７４は、フォトディテクタ１０２ｊ２及び１０２ｊ３の各出力信号からなる２つの信号を差動信号としてオフセット量決定条件記憶部７６に出力する。オフセット量決定条件記憶部７６は、差動信号取得部７４により取得された差動信号を記憶する（ステップＳ３０６）。
【０２２５】
また、本ステップＳ３０６においてはさらに、光情報記録媒体４００の回転方向を逆転させ、２つ目の差動信号を取得するようにしてもよい。そうすることにより、回転方向が異なる場合各々の差動信号を基に、例えば、それらを平均化すれば、光情報記録媒体４００の回転方向におけるピックアップ固有の温度分布に起因する差動信号のバラツキを抑えることができる。
【０２２６】
記録再生処理指示部７０は、制御部１１５への指示を介して、光情報記録媒体４００に所定の情報の記録処理を実行する（ステップＳ３０７）。この所定の情報は、後述するように、光情報記録媒体４００の記録の際におけるオフセット量を取得するために利用される。
【０２２７】
光情報記録媒体４００の記録処理が終了すると、回転数設定部７１は、記録再生条件記憶部７３にあらかじめ記憶されている光情報記録媒体４００の回転数を取得し、記録再生処理指示部７０に設定する。記録再生処理指示部７０は、回転数設定部７１により設定された回転数で光情報記録媒体４００を回転させるよう、制御部１１５に指示する。制御部１１５は、モータ制御回路１０９を介してディスク駆動モータ１０１を駆動し、記録再生処理指示部７０により指示された回転数で光情報記録媒体４００を回転させる（ステップＳ３０８）。
【０２２８】
光情報記録媒体４００の回転数は、光情報記録媒体４００に記録された情報信号を再生する際の回転数を用いる。
【０２２９】
記録再生処理指示部７０は、光情報記録媒体４００の所定の記録箇所に対向する位置に、光学ピックアップ１０２を移動するよう、制御部１１５に指示する。制御部１１５は、フィードモータ制御回路１０８を介してフィードモータ１１１を駆動し、記録再生処理指示部７０により指示された位置に光学ピックアップ１０２を移動させる（ステップＳ３０９）。
【０２３０】
レーザパワー設定部７２は、記録再生条件記憶部７３にあらかじめ記憶されている光情報記録媒体４００に照射される再生用レーザパワーを取得し、記録再生処理指示部７０に設定する。
【０２３１】
そして、記録再生処理指示部７０は、半導体レーザ発振器１０２ｆから出射されるレーザのレーザパワーがレーザパワー設定部７２により設定された再生用レーザパワーとなるよう、制御部１１５に指示する。制御部１１５は、レーザ制御回路１０３を介して半導体レーザ発振器１０２ｆを駆動し、半導体レーザ発振器１０２ｆのレーザパワーを記録再生処理指示部７０により指示された再生用レーザパワーに固定する（ステップＳ３１０）。
【０２３２】
記録再生処理指示部７０は、光情報記録媒体４００にレーザが照射されると、記録対象の記録層にフォーカスサーチ処理をするよう、制御部１１５に指示する。制御部１１５は、記録対象の記録層に対し、上述したフォーカスサーチ処理を実行する（ステップＳ３１１）。
【０２３３】
記録再生処理指示部７０は、記録対象の記録層に対するフォーカスサーチ処理が実行された後、記録対象の記録層に対するトラッキング処理を実行するよう、制御部１１５に指示する。制御部１１５は、記録対象の記録層にある任意のトラックあるいは特定のトラックに対し、上述したトラッキング処理を実行する（ステップＳ３１２）。
【０２３４】
記録再生処理指示部７０は、制御部１１５への指示を介して、上記のステップＳ３０７において光情報記録媒体４００に記録された所定の情報の再生処理を実行する（ステップＳ３１３）。
【０２３５】
本ステップＳ３１３においては、記録再生処理指示部７０は、光情報記録媒体４００の半径方向におけるオフセット量を変化させながら、光情報記録媒体４００の再生処理を行い、各オフセット量における再生信号品質（ｂＥＲや信号振幅、アシンメトリ等）を図示しない信号品質評価部で評価する。そして、最も再生信号品質（ｂＥＲや信号振幅、アシンメトリ等）が良くなるオフセット量を決定する。そうすることにより、オフセット量取得部７７は、光情報記録媒体４００の記録の際におけるオフセット量を取得する。そして、オフセット量取得部７７は、その取得したオフセット量をオフセット量決定条件記憶部７６に記憶する。
【０２３６】
このようにして、上で述べたような装置メーカーにおいて行なわれる、オフセット量決定部２０１の動作が終了する。
【０２３７】
次に、上で述べたような、記録再生システム２００を購入し、利用するユーザにおいて行なわれる、オフセット量決定部２０１の動作、つまり、図１９のフローチャートに記載の動作について説明する。
【０２３８】
ユーザによって記録再生システム２００に通常の光情報記録媒体４００が装填されると、オフセット量決定部２０１の回転数設定部７１は、記録再生条件記憶部７３にあらかじめ記憶されている光情報記録媒体４００の回転数を取得し、記録再生処理指示部７０に設定する。
【０２３９】
ここで、通常の光情報記録媒体４００は、上で述べたオフトラック記録が発生することが不明である記録媒体であるとする。
【０２４０】
そして、記録再生処理指示部７０は、回転数設定部７１により設定された回転数で光情報記録媒体４００を回転させるよう、制御部１１５に指示する。制御部１１５は、モータ制御回路１０９を介してディスク駆動モータ１０１を駆動し、記録再生処理指示部７０により指示された回転数で光情報記録媒体４００を回転させる（ステップＳ４０１）。
【０２４１】
光情報記録媒体４００の回転数は、光情報記録媒体４００に情報信号を記録する際の回転数を用いる。
【０２４２】
記録再生処理指示部７０は、光情報記録媒体４００の所定の記録箇所に対向する位置に、光学ピックアップ１０２を移動するよう、制御部１１５に指示する。制御部１１５は、フィードモータ制御回路１０８を介してフィードモータ１１１を駆動し、記録再生処理指示部７０により指示された位置に光学ピックアップ１０２を移動させる（ステップＳ４０２）。
【０２４３】
レーザパワー設定部７２は、記録再生条件記憶部７３にあらかじめ記憶されている光情報記録媒体４００に照射される記録用レーザパワーを取得し、記録再生処理指示部７０に設定する。
【０２４４】
そして、記録再生処理指示部７０は、半導体レーザ発振器１０２ｆから出射されるレーザのレーザパワーがレーザパワー設定部７２により設定された記録用レーザパワーとなるよう、制御部１１５に指示する。制御部１１５は、レーザ制御回路１０３を介して半導体レーザ発振器１０２ｆを駆動し、半導体レーザ発振器１０２ｆのレーザパワーを記録再生処理指示部７０により指示された記録用レーザパワーに固定する（ステップＳ４０３）。
【０２４５】
なお、本ステップＳ４０３では、光情報記録媒体４００に照射されるレーザパワーとして記録用レーザパワーを取得しているが、本実施の形態はこれに限るものではない。例えば、光情報記録媒体４００を再生する際のレーザパワーを取得し、その再生用のレーザパワーを用いて後述するステップＳ４０４及びステップＳ４０５の処理を行ってもよい。この場合であれば、後述するステップＳ４０６において改めて、記録再生処理指示部７０は、半導体レーザ発振器１０２ｆから出射されるレーザのレーザパワーがレーザパワー設定部７２により設定された記録用レーザパワーとなるよう、制御部１１５に指示することになる。
【０２４６】
また、実際に光情報記録媒体４００に情報を記録する場合には、複数のレーザパワーを組み合わせてパルス列となるようにレーザが照射されるので、本実施の形態においては、上記記録用レーザパワーは、上記組合せに用いられるレーザパワーのうち最大のレーザパワーを意味する。あるいは、上記記録用レーザパワーは、総エネルギー量が同じになるように均一化したレーザパワーや、各レーザパワーの平均値等であっても良い。
【０２４７】
記録再生処理指示部７０は、光情報記録媒体４００にレーザが照射されると、記録対象の記録層にフォーカスサーチ処理をするよう、制御部１１５に指示する。制御部１１５は、記録対象の記録層に対し、上述したフォーカスサーチ処理を実行する（ステップＳ４０４）。
【０２４８】
記録再生処理指示部７０は、記録対象の記録層に対するフォーカスサーチ処理が実行された後、記録対象の記録層に対するトラッキング処理を実行するよう、制御部１１５に指示する。制御部１１５は、記録対象の記録層にある任意のトラックあるいは特定のトラックに対し、上述したトラッキング処理を実行する（ステップＳ４０５）。
【０２４９】
差動信号取得部７４は、増幅回路１１４ｂを介してフォトディテクタ１０２ｊ２の出力信号を取得すると共に、増幅回路１１４ｃを介してフォトディテクタ１０２ｊ３の出力信号を取得する。そして、差動信号取得部７４は、フォトディテクタ１０２ｊ２及び１０２ｊ３の各出力信号からなる２つの信号を差動信号としてオフセット量決定条件記憶部７６に出力する。オフセット量決定条件記憶部７６は、差動信号取得部７４により取得された差動信号を記憶する（ステップＳ４０６）。
【０２５０】
また、本ステップＳ４０６においても、上記のステップＳ３０６と同様に、光情報記録媒体４００の回転方向を逆転させ、２つ目の差動信号を取得すればよい。そうすることにより、上記のステップＳ３０６の場合と同様の効果を得ることができる。
【０２５１】
決定部７８は、上記のステップＳ３０６において検出された差動信号と、上記のステップＳ４０６において検出された差動信号とをオフセット量決定条件記憶部７６から取得する。上記のステップＳ３０６において検出された差動信号は、オフセット量決定用の光情報記録媒体４００の記録の際における差動信号（ここでは、「オフセット量決定用差動信号」と呼ぶ。）である。一方、上記のステップＳ４０６において検出された差動信号は、通常の光情報記録媒体４００の記録の際における差動信号（ここでは、「通常差動信号」と呼ぶ。）である。
【０２５２】
決定部７８は、それら２つのオフセット量決定用差動信号及び通常差動信号を比較し、オフセット量決定用差動信号に対する通常差動信号の倍率を算出する（ステップＳ４０７）。
【０２５３】
そして、決定部７８は、上記のステップＳ３１３において取得されたオフセット量をオフセット量決定条件記憶部７６から取得する。上記のステップＳ３１３において取得されたオフセット量は、オフセット量決定用の光情報記録媒体４００の記録の際におけるオフセット量である。
【０２５４】
決定部７８は、そのオフセット量に上記のステップＳ４０７において算出された倍率を乗算し、その乗算結果を通常の光情報記録媒体４００の記録の際におけるオフセット量として決定する。決定部７８は、その決定されたオフセット量を記録再生処理指示部７０に出力する（ステップＳ４０８）。
【０２５５】
記録再生処理指示部７０は、制御部１１５への指示を介して、決定部７８により決定されたオフセット量を用いた、光情報記録媒体４００の記録処理を実行する（ステップＳ４０９）。
【０２５６】
なお、ステップＳ３０６やステップＳ４０６にて取得する差動信号は、記録レーザパワーを照射して得られた差動信号と、別途より低いレーザパワーを同様に照射して得られた差動信号との差異であっても良い。
【０２５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２５８】
最後に、検査部１１６のトラッキング処理指示部６０、回転数設定部６１、レーザパワー設定部６２、差動信号取得部６４、算出部６５及び判定部６７、並びに、オフセット量決定部２０１の記録再生処理指示部７０、回転数設定部７１、レーザパワー設定部７２、差動信号取得部７４、算出部７５、オフセット量取得部７７及び決定部７８は、ハードウェアロジックによって構成してもよいし、次のようにＣＰＵを用いてソフトウェアによって実現してもよい。
【０２５９】
すなわち、トラッキング処理指示部６０、回転数設定部６１、レーザパワー設定部６２、差動信号取得部６４、算出部６５及び判定部６７、並びに、記録再生処理指示部７０、回転数設定部７１、レーザパワー設定部７２、差動信号取得部７４、算出部７５、オフセット量取得部７７及び決定部７８は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアであるトラッキング処理指示部６０、回転数設定部６１、レーザパワー設定部６２、差動信号取得部６４、算出部６５及び判定部６７、並びに、記録再生処理指示部７０、回転数設定部７１、レーザパワー設定部７２、差動信号取得部７４、算出部７５、オフセット量取得部７７及び決定部７８の制御プログラムのプログラムコード（実行形式プログラム、中間コードプログラム、ソースプログラム）をコンピュータで読み取り可能に記録した記録媒体を、トラッキング処理指示部６０、回転数設定部６１、レーザパワー設定部６２、差動信号取得部６４、算出部６５及び判定部６７、並びに、記録再生処理指示部７０、回転数設定部７１、レーザパワー設定部７２、差動信号取得部７４、算出部７５、オフセット量取得部７７及び決定部７８に供給し、そのコンピュータ（又はＣＰＵやＭＰＵ）が記録媒体に記録されているプログラムコードを読み出し実行することによっても、達成可能である。
【０２６０】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２６１】
また、検査部１１６のトラッキング処理指示部６０、回転数設定部６１、レーザパワー設定部６２、差動信号取得部６４、算出部６５及び判定部６７、並びに、オフセット量決定部２０１の記録再生処理指示部７０、回転数設定部７１、レーザパワー設定部７２、差動信号取得部７４、算出部７５、オフセット量取得部７７及び決定部７８を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２６２】
なお、本発明は、以下のようにも表現することができる。すなわち、本発明における検査方法は、記録型光情報記録媒体の記録及び／又は再生時において、上記媒体にビームを集光照射し、上記ビームが上記媒体から反射されることにより発生する反射光を受光する受光部を有し、上記受光部が少なくともトラック方向に分割されている光情報記録媒体用記録及び／又は再生装置を用いる検査方法であって、記録型光情報記録媒体の記録及び／又は再生時において分割した走査方向前方領域の受光部から得られる信号と走査方向後方領域の受光部から得られる信号の差分を記録及び／又は再生パワー別に測定し、所定の信号を記録及び／又は再生パワー範囲で、所定の値より大きく又は小さくなること良否判断の基準とする。
【０２６３】
本発明における光情報記録媒体の製造法は、上記の検査方法を用いる。
【０２６４】
本発明における光情報記録媒体は、上記の製造法により製造される。
【０２６５】
本発明における光情報記録媒体は、記録型光情報記録媒体の記録及び／又は再生時において、上記媒体にビームを集光照射し、上記ビームが上記媒体から反射されることにより発生する反射光を受光する受光部を有し、上記受光部が少なくともトラック方向に分割されている光情報記録媒体用記録及び／又は再生装置を用いて、記録及び／又は再生した場合、所定の信号を記録及び／又は再生パワー範囲で、分割した走査方向前方領域の受光部から得られる信号と走査方向後方領域の受光部から得られる信号の差分が所定の範囲内にある。
【０２６６】
本発明における光情報記録媒体用記録及び／又は再生装置は、記録型光情報記録媒体の記録及び／又は再生時において、上記媒体にビームを集光照射し、上記ビームが上記媒体から反射されることにより発生する反射光を受光する受光部を有し、上記受光部が少なくとも半径方向とトラック方向に分割され、記録型光情報記録媒体の記録及び／又は再生時において、分割した半径方向内周領域の受光部から得られる信号と半径方向外周部から得られる信号の差動をトラック信号として、トラッキングを行う光情報記録媒体用記録及び／又は再生装置であって、記録型光情報記録媒体挿入後、記録実施前に、上記媒体にビームを集光照射し、分割した走査方向前方領域の受光部から得られる信号と走査方向後方領域の受光部から得られる信号の差分を照射パワー別に測定した結果より得られた情報と、記録及び／又は再生装置が有するピックアップ固有の情報とを利用して、記録時において記録を行うトラックの半径方向中心に対しビームスポット中心をトラッキング状態から半径方向にずらす量である半径方向オフセット量を制御する。
【０２６７】
本発明における光情報記録媒体用記録及び／又は再生装置は、記録型光情報記録媒体の記録及び／又は再生時において、上記媒体にビームを集光照射し、上記ビームが上記媒体から反射されることにより発生する反射光を受光する受光部を有し、上記受光部が少なくとも半径方向に分割され、記録型光情報記録媒体の記録及び／又は再生時において、分割した半径方向内周領域の受光部から得られる信号と半径方向外周部から得られる信号の差動をトラック信号として、トラッキングを行う光情報記録媒体用記録及び／又は再生装置であって、記録型光情報記録媒体挿入後、ユーザが利用するコンテンツ情報の記録実施前に、記録時の半径方向オフセット量を変更しながら記録を行い、その情報を再生することにより記録時の半径方向オフセット量を制御する。
【０２６８】
また、記録時に半径方向オフセット量を制御しない場合は、記録時の記録位置ズレ量情報を基に、再生時のトラッキングの半径方向オフセット量を決定し、再生することが好ましい。
【０２６９】
本発明における光情報記録媒体は、記録領域においてトラックピッチ０．３２μｍのグルーブを有し、開口数０．８４以上かつ０．８６以下の対物レンズを介して波長４００ｎｍ以上かつ４１０ｎｍ以下の光で記録／再生され、２１ｍＷ以上の記録パワーで情報が記録される記録型光情報記録媒体であって、前記第２のビームパワーを１２ｍＷとした場合の上記の検査方法において、前記第１の差分と前記第２の差分が略等しい。
【０２７０】
本発明における光情報記録媒体記録装置は、光情報記録媒体にビームを照射することにより情報を記録する光情報記録媒体記録装置であって、光情報記録媒体の記録層のトラック方向に沿って、第１の受光部と、第２の受光部とがこの順に配置されており、前記第１及び第２の受光部を用いて前記記録層からの反射光レベルを検出する検出ステップと、前記第１の受光部により受光された第１の反射光レベルと、前記第２の受光部により受光された第２の反射光レベルとを比較する比較ステップとを含む記録時のトラッキング半径方向オフセット補正を行う手段が設けられている。
【産業上の利用可能性】
【０２７１】
本発明に係る光情報記録媒体は、ＣＤ、ＤＶＤ、ＨＤ−ＤＶＤ、ＢＤ等の光学読取式のディスクや、光磁気ディスク、相変化型ディスク等の種々の光情報記録媒体及び光情報記録媒体駆動装置に適用することができる。
【符号の説明】
【０２７２】
１０    透光層
３０    中間層
５０    基板
６０    トラッキング処理指示部
６１、７１    回転数設定部
６２、７２    レーザパワー設定部
６３    検査条件記憶部
６４、７４    差動信号取得部（検出部）
６５、７５    算出部（検出部）
６６    差動信号記憶部
６７    判定部
６８    良品判定基準値記憶部
６９    表示部
７０    記録再生処理指示部
７３    記録再生条件記憶部
７６    オフセット量決定条件記憶部
７７    オフセット量取得部
７８    決定部
１００    再生システム
１０１    ディスク駆動モータ
１０２    光学ピックアップ
１０２ａ    対物レンズ
１０２ｂ    トラッキング駆動コイル
１０２ｃ    フォーカス駆動コイル
１０２ｄ    ハーフプリズム
１０２ｅ    コリメータレンズ
１０２ｆ    半導体レーザ発振器
１０２ｇ    光量検出器
１０２ｈ    集光レンズ
１０２ｉ    シリンドリカルレンズ
１０２ｊ    光電変換器
１０２ｊ１、１０２ｊ２、１０２ｊ３、１０２ｊ４    フォトディテクタ
１０３    レーザ制御回路
１０４    差動増幅回路
１０５    フォーカス制御回路
１０６    トラッキング制御回路
１０７    位相差検出回路
１０８    フィードモータ制御回路
１０９    モータ制御回路
１１０    データ再生回路
１１１    フィードモータ
１１２    速度検出器
１１３ａ、１１３ｂ、１１３ｃ、１１３ｄ、１１３ｅ    加算回路
１１４ａ、１１４ｂ、１１４ｃ、１１４ｄ    増幅回路
１１５    制御部
１１６    検査部
２００    記録再生システム（記録装置）
２０１    オフセット量決定部
４００    光情報記録媒体
【図１】
2010170653.tif 000003
【図２】
2010170653.tif 000004
【図３】
2010170653.tif 000005
【図４】
2010170653.tif 000006
【図５】
2010170653.tif 000007
【図６】
2010170653.tif 000008
【図７】
2010170653.tif 000009
【図８】
2010170653.tif 000010
【図９】
2010170653.tif 000011
【図１０】
2010170653.tif 000012
【図１１】
2010170653.tif 000013
【図１２】
2010170653.tif 000014
【図１３】
2010170653.tif 000015
【図１４】
2010170653.tif 000016
【図１５】
2010170653.tif 000017
【図１６】
2010170653.tif 000018
【図１７】
2010170653.tif 000019
【図１８】
2010170653.tif 000020
【図１９】
2010170653.tif 000021
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
光情報記録媒体が有する記録可能な記録層にビームを照射して、前記記録層からの反射光を受光することにより、前記光情報記録媒体の良否判定を行うための検査方法であって、
前記記録層のトラック方向に沿って、第１の受光部と、第２の受光部とがこの順に配置されており、第１のビームパワーを持つビームを前記記録層に照射しながら前記第１及び第２の受光部を用いて前記記録層からの反射光レベルを検出する第１の検出ステップと、
前記第１の検出ステップにおいて前記第１の受光部により受光された第１の反射光レベルと、前記第１の検出ステップにおいて前記第２の受光部により受光された第２の反射光レベルとの第１の差分を算出する第１の算出ステップと、
前記第１のビームパワーよりも高い第２のビームパワーを持つビームを前記記録層に照射しながら前記第１及び第２の受光部を用いて前記記録層からの反射光レベルを検出する第２の検出ステップと、
前記第２の検出ステップにおいて前記第１の受光部により受光された第３の反射光レベルと、前記第２の検出ステップにおいて前記第２の受光部により受光された第４の反射光レベルとの第２の差分を算出する第２の算出ステップと、
前記第１の算出ステップにおいて算出された第１の差分と、前記第２の算出ステップにおいて算出された第２の差分とを比較し、その比較結果に基づき前記光情報記録媒体を良否判定する判定ステップと
を含み、
前記第１の検出ステップ及び前記第２の検出ステップにおいて検出される各反射光レベルは、前記光情報記録媒体の回転方向が異なる場合における２つの反射光レベルを平均化したものであることを特徴とする光情報記録媒体の検査方法。
【請求項２】
前記判定ステップは、前記光情報記録媒体が不良品であると判定すべきとしてあらかじめ定められた基準値に対する前記第１の差分と前記第２の差分との間の変化幅の大小を比較し、前記変化幅が前記基準値より小さいとの比較結果に基づいて、前記光情報記録媒体と良品であると判定することを特徴とする請求項１に記載の光情報記録媒体の検査方法。
【請求項３】
前記第１及び第２の受光部により受光される前記記録層からの反射光レベルは、前記記録層のトラックの蛇行成分であるウォブル信号の振幅であることを特徴とする請求項１または２に記載の光情報記録媒体の検査方法。
【請求項４】
記録可能な記録層を有する光情報記録媒体の製造方法であって、
基板上に前記記録層を含む多層構造を実現することにより光情報記録媒体を製造する製造ステップと、
前記製造ステップにおいて製造された前記光情報記録媒体を請求項１〜３のいずれか１項に記載の光情報記録媒体の検査方法を用いて前記光情報記録媒体を良否判定するステップと、
を含むことを特徴とする光情報記録媒体の製造方法。
【請求項５】
請求項４に記載の光情報記録媒体の製造方法を用いて製造されることを特徴とする光情報記録媒体。
【請求項６】
光情報記録媒体が有する記録可能な記録層にビームを照射して、前記記録層からの反射光を受光することにより、前記光情報記録媒体の良否判定を行うための検査装置であって、
前記記録層のトラック方向に沿って順に配置された第１の受光部及び第２の受光部と、
第１のビームパワーを持つビームを前記記録層に照射しながら前記第１及び第２の受光部を用いて前記記録層からの反射光レベルを検出すると共に、前記第１のビームパワーよりも高い第２のビームパワーを持つビームを前記記録層に照射しながら前記第１及び第２の受光部を用いて前記記録層からの反射光レベルを検出する検出部と、
前記第１のビームパワーを持つビームを前記記録層に照射しながら前記第１の受光部により受光された第１の反射光レベルと前記第２の受光部により受光された第２の反射光レベルとの第１の差分を算出すると共に、前記第２のビームパワーを持つビームを前記記録層に照射しながら前記第１の受光部により受光された第１の反射光レベルと前記第２の受光部により受光された第２の反射光レベルとの第２の差分を算出する算出部と、
前記第１の差分と、前記第２の差分とを比較し、その比較結果に基づき前記光情報記録媒体を良否判定する判定部と
を備え、
前記検出部において検出される各反射光レベルは、前記光情報記録媒体の回転方向が異なる場合における２つの反射光レベルを平均化したものであることを特徴とする光情報記録媒体の検査装置。
【請求項７】
記録層を有し、前記記録層にビームが照射されることにより、前記記録層に情報が記録される光情報記録媒体であって、
請求項１に記載の検査方法を用いて検査される場合において、前記第２のビームパワーを前記第１のビームパワーより大きい所定のパワーとしたときに前記第１の差分と前記第２の差分とが略等しくなるように、前記記録層が設定されていることを特徴とする光情報記録媒体。
【請求項８】
トラックピッチが０．３０〜０．３４μｍのグルーブを持つ記録層を有し、２１ｍＷ以上のビームパワー及び４００ｎｍ〜４１０ｎｍの波長を持つビームが、０．８４〜０．８６の開口数を持つ対物レンズを介して、前記記録層に照射されることにより、前記記録層に情報が記録される光情報記録媒体であって、
請求項１に記載の検査方法を用いて検査される場合において、前記第２のビームパワーを１２ｍＷとしたときに、前記第１の差分と前記第２の差分とが略等しくなることを特徴とする光情報記録媒体。
【請求項９】
光情報記録媒体が有する記録可能な記録層にビームを照射して、前記記録層に情報を記録する光情報記録媒体の記録装置であって、
前記記録層のトラック方向に沿って順に配置された第１の受光部及び第２の受光部と、
第１のビームパワーを持つビームを前記記録層に照射しながら前記第１及び第２の受光部を用いて前記記録層からの反射光レベルを検出すると共に、前記第１のビームパワーよりも高い第２のビームパワーを持つビームを前記記録層に照射しながら前記第１及び第２の受光部を用いて前記記録層からの反射光レベルを検出する検出部と、
前記第１のビームパワーを持つビームを前記記録層に照射しながら前記第１の受光部により受光された第１の反射光レベルと前記第２の受光部により受光された第２の反射光レベルとの第１の差分を算出すると共に、前記第２のビームパワーを持つビームを前記記録層に照射しながら前記第１の受光部により受光された第１の反射光レベルと前記第２の受光部により受光された第２の反射光レベルとの第２の差分を算出する算出部と、
前記第１の差分と、前記第２の差分とを比較し、その比較結果に基づき前記記録層に情報を記録する際における前記光情報記録媒体の半径方向のオフセット量を決定する決定部と
を備え、
前記検出部において検出される各反射光レベルは、前記光情報記録媒体の回転方向が異なる場合における２つの反射光レベルを平均化したものであることを特徴とする光情報記録媒体の記録装置。